(57)【特許請求の範囲】
【請求項１】
電磁放射線を用いてマスク上の物体構造を像平面内に結像するために該結像中に該電磁放射線が投影対物系の光学特性の変化を引き起こす投影対物系を有するマイクロリソグラフィのための投影露光ツールを作動させる方法であって、
結像される前記マスク上の前記物体構造のレイアウトを与え、前記マスク上で異なる構造タイプによって覆われるそれぞれの区域にマスク区域を分割することによって前記物体構造をそれらの構造タイプに従って分類する段階と、
前記物体構造の前記分類に基づいて、前記結像工程中にもたらされる前記投影対物系の前記光学特性の前記変化を計算する段階と、
前記物体構造を前記像平面内に結像するために前記投影露光ツールを使用し、前記結像工程中に前記電磁放射線によって引き起こされる前記投影対物系の前記光学特性の前記変化を少なくとも部分的に補償するために、該投影露光ツールの結像挙動が、該光学特性の前記計算された変化に基づいて調節される段階と、
を含むことを特徴とする方法。
【請求項２】
前記マスクは、該マスクを照明する前記電磁放射線の角度分布を定める特定の照明モードにある該放射線を用いて前記結像工程中に照明され、前記光学特性の前記変化の前記計算は、更に該照明モードに基づいて行われる、
ことを特徴とする請求項１に記載の方法。
【請求項３】
前記投影対物系の少なくとも１つの単一光学要素の熱固有モードが、該投影対物系と共に与えられ、前記光学特性の前記変化の前記計算は、該熱固有モードに基づいて行われる、
ことを特徴とする請求項１又は請求項２に記載の方法。
【請求項４】
前記投影対物系の前記光学特性の前記変化の前記計算は、前記分類された構造タイプの各々に対する該投影対物系に入射する前記電磁放射線の角度分布の計算を含む、
ことを特徴とする請求項１から請求項３のいずれか１項に記載の方法。
【請求項５】
前記物体構造の前記分類は、前記マスク上で構造の異なるタイプによって覆われるそれぞれの区域のサイズの決定を含む、
ことを特徴とする請求項１から請求項４のいずれか１項に記載の方法。
【請求項６】
前記物体構造の前記分類は、少なくとも２つのタイプの領域への前記マスクの分割を含み、
第１のタイプの領域が、第２のタイプの領域に対して密に配列された物体構造を含み、該第２のタイプの領域は、該第１のタイプの領域に対して疎に配列された物体構造を含む、
ことを特徴とする請求項１から請求項５のいずれか１項に記載の方法。
【請求項７】
前記光学特性の前記変化に起因する前記像平面内の波面の偏位が計算され、前記投影露光ツールの前記結像挙動が、該計算された波面偏位を補償するように調節される、
ことを特徴とする請求項１から請求項６のいずれか１項に記載の方法。
【請求項８】
与えられたレイアウトに関するリソグラフィ像に対して影響を有する少なくとも１つのリソグラフィ結像誤差が決定され、前記投影対物系の前記結像挙動は、前記電磁放射線によって引き起こされる該投影対物系の前記光学特性の前記変化を補正するために、該少なくとも１つのリソグラフィ結像誤差が低減されるように調節され、
前記リソグラフィ結像誤差の前記低減は、前記リソグラフィ像の全体波面偏位の平滑化よりも高い優先度を有する、
ことを特徴とする請求項１から請求項７のいずれか１項に記載の方法。
【請求項９】
電磁放射線を用いてマスク上の物体構造を像平面内に結像するために該結像中に該電磁放射線が投影対物系の少なくとも１つの単一光学要素の光学特性の変化を引き起こす投影対物系を有するマイクロリソグラフィのための投影露光ツールを作動させる方法であって、
前記結像工程中に前記電磁放射線によって前記光学要素内に誘起される熱分布を決定する段階と、
該熱分布の解析関数であり、かつ前記光学要素の熱固有モードを含み、かつ該熱固有モードの、該光学要素内に生じる温度分布を事前計算することによって予め決定された温度分布関数に、前記決定された誘起熱分布を挿入することによって、前記決定された誘起熱分布から、該光学要素内に生じる温度分布を計算する段階と、
前記物体構造を前記像平面内に結像し、前記投影露光ツールの該結像挙動が、該結像工程中に前記電磁放射線によって引き起こされる前記光学要素の前記光学特性の前記変化を少なくとも部分的に補償するために、前記計算された温度分布から導出された該光学要素の該光学特性の変化に基づいて調節される段階と、
を含むことを特徴とする方法。
【請求項１０】
前記温度分布関数は、固有値及び固有モード解析を用いて前記光学要素の熱輸送方程式を解くことによって与えられる、
ことを特徴とする請求項９に記載の方法。
【請求項１１】
電磁放射線を用いてマスク上の物体構造を像平面内に結像するために該結像中に該電磁放射線が投影対物系の光学特性の変化を引き起こす投影対物系を有するマイクロリソグラフィのための投影露光ツールを作動させるための制御装置であって、
結像される前記マスク上の前記物体構造のレイアウトを受け取るための入力デバイスと、
前記マスク上で異なる構造タイプによって覆われるそれぞれの区域にマスク区域を分割することによって前記物体構造をそれらの構造タイプに従って分類し、かつ該物体構造の該分類に基づいて前記結像工程中にもたらされる前記投影対物系の前記光学特性の前記変化を近似的に計算するように構成された処理デバイスと、
前記結像工程中に前記電磁放射線によって引き起こされる前記投影対物系の前記光学特性の前記変化を少なくとも部分的に補償するために、該光学特性の前記計算された変化に基づいて前記投影露光ツールの前記結像挙動を調節するように構成された調節デバイスと、
を含むことを特徴とする制御装置。
【請求項１２】
電磁放射線を用いてマスク上の物体構造を像平面内に結像するために該結像中に該電磁放射線が投影対物系の少なくとも１つの単一光学要素の光学特性の変化を引き起こす投影対物系を有するマイクロリソグラフィのための投影露光ツールを作動させるための制御装置であって、
前記単一光学要素内に生じる温度分布を前記結像工程中に前記電磁放射線によって該光学要素内に誘起される熱分布から計算するように構成され、該生じる温度分布が、該単一光学要素の温度分布関数に、前記決定された誘起熱分布を挿入することによって計算され、該温度分布関数が、該熱分布の解析関数であり、かつ該光学要素の熱固有モードを含み、かつ該熱固有モードの、該光学要素内に生じる温度分布を事前計算することによって予め決定されたものである処理デバイスと、
前記結像工程中に前記電磁放射線によって引き起こされる前記光学要素の前記光学特性の前記変化を少なくとも部分的に補償するために、前記計算された温度分布から導出された該光学要素の該光学特性の変化に基づいて前記投影露光ツールの前記結像挙動を調節するように構成された調節デバイスと、
を含むことを特徴とする制御装置。
【請求項１３】
マイクロリソグラフィのための投影露光ツールであって、
請求項１１又は請求項１２に記載の制御装置、
を含むことを特徴とする投影露光ツール。
【発明の詳細な説明】
【技術分野】
【０００１】
本発明は、マイクロリソグラフィのための投影露光ツールを作動させる方法、そのような投影露光ツールを作動させるための制御装置、及びそのような制御装置を含む投影露光ツールに関する。
【背景技術】
【０００２】
投影露光ツールの経済的な作動には、露光される基板の高いスループットを得るように可能な最も短い露光時間が望ましい。従って、十分な基板露光のために高い放射線強度が必要である。特に、紫外波長領域又は極紫外（ＥＵＶ）波長領域内の放射線を使用する場合には、強い放射線の影響が投影露光装置の光学要素の特性において放射線誘起変化をもたらす場合があり、これらの変化の大きさは、放射線照射量と共に増大する。例えば、レンズ内に吸収される放射線は、レンズ内で局所温度変化の効果を有することができ、それによって屈折率及びレンズ面の局所変化がもたらされる場合がある。この効果は、可逆性の短期の効果であり、「レンズ加熱」として公知である。更に、放射線は、レンズ内に「寿命効果(life-time effects)」として公知の不可逆的な長期の効果をもたらす場合がある。そのような効果は、レンズのコンパクション（密度増大）又はレアファクション（密度低下）を含む。１９３ｎｍの放射線を使用する場合には、石英ガラス（溶融シリカ）内で特に大きい放射線誘起密度増大が観察される。
【０００３】
公知の方法により、いわゆる有限要素モデル（ＦＥＭ）を用いてレンズ内の温度分布を計算することにより、ウェーハ上に結像されるマスク全体のレイアウトに基づくいわゆる「フルチップ」シミュレーションが実施される。この厳密な手法は、多大な計算リソースを必要とし、リソグラフィ像に対する短期放射線誘起効果をこの方法に基づいて補正するには過度に時間を消費する。
【先行技術文献】
【特許文献】
【０００４】
【特許文献１】ＵＳ  ２００４／０１５５９１５  Ａ１
【非特許文献】
【０００５】
【非特許文献１】Ｄａｎｉｅｌ  Ｍａｌａｃａｒａ編「光学工場試験（Ｏｐｔｉｃａｌ  ｓｈｏｐ  ｔｅｓｔｉｎｇ）」、第２版（１９９２年）、第１３章２．３、Ｊｏｈｎ  Ｗｉｌｅｙ  ＆  Ｓｏｎｓ，Ｉｎｃ．出版
【非特許文献２】Ｈ．Ｇｒｏｓｓ編「光学系のハンドブック（Ｈａｎｄｂｏｏｋ  ｏｆ  Ｏｐｔｉｃａｌ  Ｓｙｓｔｅｍｓ）」、２００５年、「Ｗｉｌｅｙ−ＶＣＨ  Ｖｅｒｌａｇ  ＧｍｂＨ  ＆  Ｃｏ．ＫＧａＡ」、ヴァインハイム、ドイツの２１５ページ、表２０−２
【発明の概要】
【発明が解決しようとする課題】
【０００６】
本発明の１つの目的は、上述の問題を解決することであり、特に、リソグラフィ像に対する狭い範囲の放射線誘起変化の効果、特に短期効果を抑制することである。
【課題を解決するための手段】
【０００７】
本発明の第１の態様により、電磁放射線を用いてマスク上の物体構造を像平面内に結像するための投影対物系を有するマイクロリソグラフィのための投影露光ツールを作動させる方法を提供する。結像中に、電磁放射線は、投影対物系の光学特性の変化を引き起こす。本発明の第１の態様による方法は、結像されるマスク上の物体構造のレイアウトを与え、物体構造をそれらの構造タイプに従って分類する段階と、物体構造の分類に基づいて、結像工程中にもたらされる投影対物系の光学特性の変化を計算する段階と、物体構造を像平面内に結像するために投影露光ツールを使用し、結像工程中に電磁放射線によって引き起こされる投影対物系の光学特性の変化を少なくとも部分的に補償するために、投影露光ツールの結像挙動が、光学特性の計算された変化に基づいて調節される段階とを含む。
【０００８】
更に、本発明の第１の態様により、電磁放射線を用いてマスク上の物体構造を像平面内に結像するために、結像中に、電磁放射線が、投影対物系の光学特性の変化を引き起こす投影対物系を有するマイクロリソグラフィのための投影露光ツールを作動させるための制御装置を提供する。制御装置は、結像されるマスク上の物体構造のレイアウトを受け取るための入力デバイスと、物体構造を物体構造の構造タイプに従って分類し、結像工程中にもたらされる投影対物系の光学特性の変化を物体構造の分類に基づいて計算するように構成された処理デバイスとを含む。更に、制御装置は、結像工程中に電磁放射線によって引き起こされる投影対物系の光学特性の変化を少なくとも部分的に補償するために、投影露光ツールの結像挙動を光学特性の計算された変化に基づいて調節するように構成された調節デバイスを含む。本発明により、上述の制御装置を含む投影露光ツールが更に提供される。
【０００９】
本発明による方法及び制御装置は、投影対物系の光学特性の変化が、投影対物系の単一光学要素の屈折率及び面において局所変化をもたらす上述のレンズ加熱効果によってもたらされる場合に特に有効である。上述したように、光学特性の変化は、寿命効果によってもたらされる可能性もある。マスク上の物体構造のレイアウトは、例えば、それぞれのマスクレイアウトの設計データから直接得ることができる。
【００１０】
マスク上の物体構造をそれらの構造タイプに従って分類することにより、放射線によって引き起こされる投影対物系の光学特性の変化をこの分類に基づいて計算することができる。上述の変化の厳密な計算と比較すると、この計算は、それ程正確ではなく、従って、近似と呼ぶことができる。本発明による計算は、分類された構造タイプの各々に対して、投影対物系に入射する放射線の角度分布を計算し、結果を組み合わせることによって行うことができる。投影対物系に入射する放射線の角度分布が同じくもたらされるいわゆる「フルチップ」シミュレーションを行うためにマスク区域全体のレイアウトが使用される厳密でより高度な手法と比較すると、本発明の解決法は、有意に少ない計算リソースしか必要としない。従って、露光される新しいマスクにおける角度分布は、適度の計算リソースを用いて、投影露光ツールの作動を大きく中断させることのない十分に短い期間で計算することができる。
【００１１】
本発明の解決法による光学特性の変化の計算は、露光に使用される個々のマスクにカスタマイズされた投影露光ツールの結像挙動の補償を可能にする。従って、補償を高精度に行うことができ、リソグラフィ像においてレンズ加熱効果によってもたらされる収差を狭い範囲に抑制することができる。
【００１２】
本発明の実施形態により、マスクは、結像工程中に、マスクを照明する電磁放射線の角度分布を定める特定の照明モードにある放射線を用いて照明され、光学特性の変化の計算は、更に、照明モードに基づいて行われる。多くの場合に、照明モードを所定のマスクを露光するように選択される照明設定とも呼ぶ。従って、この実施形態により、結像工程中にもたらされる投影対物系の光学特性の変化は、照明モードと物体構造の分類とに基づいて計算される。この実施形態により、処理デバイスは、所定の照明モードに対して、結像工程中にもたらされる投影対物系の光学特性の変化を物体構造の分類に基づいて計算するように構成される。
【００１３】
本発明の更に別の実施形態により、投影対物系の少なくとも１つの単一光学要素の熱固有モードが、投影対物系と共に与えられ、光学特性の変化の計算は、熱固有モードに基づいて行われる。例えば、熱固有モードは、顧客への納品の前に決定され、次いで、関係する投影対物系と共に顧客に提供される。顧客側では、以下により詳細に説明するように、光学特性の変化を計算するのに、提供された熱固有モードを使用することができる。
【００１４】
本発明の実施形態により、投影対物系の光学特性の変化の計算は、分類された構造タイプの各々に関する投影対物系に入射する電磁放射線の角度分布の計算を含む。投影対物系に入射する放射線の角度分布は、物体構造において回折される放射線の回折角度分布に対応する。この分布の計算は、マスク構造のレイアウトのフーリエ変換と照明分布との畳み込みを計算する段階を含むことができる。
【００１５】
本発明の更に別の実施形態により、マスクは、結像工程中に、いくつかの照明モードのうちの１つにある電磁放射線を用いて照明され、投影対物系に入射する電磁放射線の角度分布は、分類された構造タイプの各々に対して、結像工程中に使用される照明モードを考慮して計算される。照明モードは、マスクを照射する放射光線の角度分布を定め、照明モードを照明設定とも呼ぶ。
【００１６】
１つの変形では、様々な照明モード及び／又は様々なマスクを用いた投影露光ツールのいくつかの連続する作動段階の履歴が、作動段階の継続時間に依存する重み付き二乗平均を用いて、投影露光ツールの結像挙動の調節に含められる。それによって先行する結像段階において発生した上記に「寿命効果」として言及した光学要素に対する不可逆的損傷、例えば、レンズ内のコンパクションが、投影対物系の光学特性を決定するのに考慮される。
【００１７】
本発明の更に別の実施形態により、物体構造の分類は、マスク上で異なる構造タイプによって覆われるそれぞれの区域のサイズの決定を含む。投影対物系の光学特性の変化の計算は、投影対物系に入射する電磁放射線の全体角度分布の近似の決定を含み、全体角度分布は、分類された個別の構造タイプに対して、角度分布の重み付き和から計算され、角度分布は、それぞれの構造タイプによって覆われるマスク区域の決定されたサイズによってそれぞれ重み付けされる。後により詳細に説明するように、投影対物系の光学特性の変化の計算は、投影対物系に入射する電磁放射線の全体角度分布の近似から投影対物系の個別レンズ上の熱分布を計算し、これらの熱分布によって導入されるレンズ加熱効果からそれぞれのレンズの光学特性の変化を決定することによって行うことができる。
【００１８】
本発明の更に別の実施形態により、物体構造の分類は、少なくとも２つのタイプの領域へのマスクの分割を含み、第１のタイプの領域は、第２のタイプの領域に対して密に配列された物体構造を含み、第２のタイプの領域は、第１のタイプの領域の配列密度に対して疎に配列された物体構造を含む。密に配列された物体構造の領域は、例えば、チップ設計のセル区域とすることができる。チップ設計の周辺区域は、疎に配列された物体構造の領域と見なすことができる。変形により、投影対物系の光学特性の変化の計算において、第２のタイプの領域は、物体構造を含まない領域によって近似される。この場合、入射放射線は、第２のタイプの領域と関係するマスク部分に対する照明放射線の０次の回折次数を用いて計算することができる。
【００１９】
本発明による更に別の実施形態において、結像工程中に投影対物系の光学特性において計算される変化は、それぞれのレンズを照射する電磁放射線によって引き起こされる投影対物系の少なくとも１つの単一レンズ要素のレンズ加熱に起因する。
【００２０】
本発明の更に別の実施形態により、光学特性の変化に起因する像平面内の波面の偏位が計算され、計算された波面偏位を補償するために、投影露光ツールの結像挙動が調節される。１つの変形により、投影露光ツールの結像挙動は、少なくとも１つの光学要素、特に投影対物系の光学要素の位置又は形状をアクチュエータを用いて操作することによって調節される。この目的のために、例えば、１つ又はそれよりも多くの光学要素の位置は、平行移動又は回転移動によって変更することができる。結像挙動の調節は、光学要素の形状の修正又は光学要素の交換を含むことができる。投影対物系の結像挙動を調節する段階に加えて、投影露光ツールの結像挙動は、マスクの照明の角度分布を適宜変更することによって調節することができる。
【００２１】
本発明の更に別の実施形態により、結像挙動の調節は、リソグラフィ像の波面偏位のゼルニケ多項式の係数を最適化することによって実施され、ゼルニケ多項式の係数のうちの少なくとも１つは、最適化問題の目的関数において、他の係数と比較して異なって重み付けされる。このようにして、特定の物体構造に対するゼルニケ係数の重要度を最適化の中に重み付けすることができる。
【００２２】
本発明の更に別の実施形態により、結像挙動の調節は、リソグラフィ像の波面偏位のゼルニケ多項式の係数を最適化することによって実施され、像平面内の少なくとも１つの場所は、対応する最適化問題の目的関数において、像平面内の他の場所における係数と比較して異なって重み付けされる。
【００２３】
本発明の更に別の実施形態により、結像挙動の調節は、投影対物系を選択された瞳区画内で通過する放射線成分だけに対して像平面内の波面変形を低減することによって実施される。下記ではこの調節を「関与領域(region of interest)」補正と呼ぶ。
【００２４】
本発明の更に別の実施形態により、投影露光ツールの結像挙動を調節するのに第１のアクチュエータと第２のアクチュエータが使用され、これらのアクチュエータの各々は、第１の結像誤差を修正することを可能にし、第１のアクチュエータは、更に、第２の結像誤差を修正することも可能にし、第１のアクチュエータの所定の操作に対して、第２の結像誤差の反応は、第１の結像誤差の反応よりも小さく、アクチュエータは、第１のアクチュエータの所定の操作に対する第２の結像誤差の反応が所定の閾値よりも大きい場合にのみ第２の結像誤差を最小にするように操作される。この閾値は、例えば、第１のアクチュエータの所定の操作に対する第１の結像誤差の反応の１／１００、特に１／１０とすることができる。
【００２５】
本発明の更に別の実施形態により、与えられたレイアウトに関するリソグラフィ像に対して影響を有する少なくとも１つのリソグラフィ結像誤差が決定され、投影対物系の結像挙動が、電磁放射線によって引き起こされる投影対物系の光学特性の変化を補正するために、少なくとも１つのリソグラフィ結像誤差が低減されるように調節され、リソグラフィ結像誤差のこの低減は、リソグラフィ像の全体波面偏位の平滑化よりも高い優先度を有する。この実施形態に対しては、本発明の第３の態様に関して以下に更に例示する。ここに言及した全ての実施形態及び変形は、本発明の第１の態様による方法及び制御装置に適用することができる。
【００２６】
本発明の変形により、投影露光ツールの結像挙動は、物体構造の結像を行う前に調節され、及び／又は結像工程中に動的に調節される。従って、例えば、結像挙動は、単一ウェーハ又はウェーハ群の各露光の前に調節することができる。代替的又は追加的に、露光中にレンズ加熱効果を動的に補正しながら継続的に調節を行うことができる。
【００２７】
本発明の更に別の実施形態により、電磁放射線は、結像中に投影対物系の少なくとも１つの単一光学要素の光学特性の変化を引き起こし、結像工程中に電磁放射線によって光学要素内に誘起される熱分布が決定され、光学要素内に生じる温度分布が、決定された誘起熱分布から温度分布関数を用いて計算される。熱分布は、光学要素による電磁放射線の一部分の吸収によってもたらされる。温度分布関数は、熱分布の解析関数であり、光学要素の熱固有モードを含む。更に、物体構造が像平面内に結像され、投影露光ツールの結像挙動が、計算された温度分布から導出される光学要素の光学特性の変化に基づいて調節される。熱分布は、好ましくは、時間依存のものである。この実施形態に対しては、本発明の第２の態様を参照して以下に更に例示する。ここに言及した全ての実施形態及び変形は、本発明の第１の態様による方法及び制御装置に適用することができる。
【００２８】
本発明の第２の態様により、マイクロリソグラフィのための投影露光ツールを作動させる更に別の方法を提供する。投影露光ツールは、電磁放射線を用いてマスク上の物体構造を像平面内に結像するために、結像中に、電磁放射線が、投影対物系の少なくとも１つの単一光学要素の光学特性の変化を引き起こす投影対物系を有する。第２の態様による方法は、結像工程中に電磁放射線によって光学要素内に誘起される熱分布を決定する段階と、決定された誘起熱分布から、温度分布関数を用いて、光学要素内に生じる温度分布を計算する段階とを含む。温度分布関数は、熱分布の解析関数であり、光学要素の熱固有モードを含む。更に、方法は、物体構造を像平面内に結像し、結像工程中に電磁放射線によって引き起こされる光学要素の光学特性の変化を少なくとも部分的に補償するために、投影露光ツールの結像挙動が、計算された温度分布から導出される光学要素の光学特性の変化に基づいて調節される段階を含む。ここで言及した光学要素は、特に、例えば、レンズ要素又は反射要素のような波形成形要素とすることができる。
【００２９】
更に、本発明の第２の態様により、マイクロリソグラフィのための投影露光ツールを作動させるための更に別の制御装置を提供する。投影露光ツールは、電磁放射線を用いてマスク上の物体構造を像平面内に結像するために、結像中に、電磁放射線が、投影対物系の少なくとも１つの単一光学要素の光学特性の変化を引き起こす投影対物系を含む。第２の態様による制御装置は、結像工程中に電磁放射線によって単一光学要素内に誘起される熱分布からこの光学要素内に生じる温度分布を計算し、生じる温度分布が、熱分布の解析関数であって光学要素の熱固有モードを含む単一光学要素の温度分布関数を用いて計算されるように構成された処理デバイスを含む。更に、制御装置は、結像工程中に電磁放射線によって引き起こされる光学要素の光学特性の変化を少なくとも部分的に補償するために、計算された温度分布から導出される光学要素の光学特性の変化に基づいて、投影露光ツールの結像挙動を調節するように構成された調節デバイスを含む。本発明により、上述の制御装置を含む投影露光ツールが更に提供される。
【００３０】
熱固有モードを含む温度分布解析関数を使用することにより、特定の光学要素に対して、単純に誘起熱分布を温度分布関数の中に挿入することにより、光学要素内に生じる温度分布を計算することができる。このようにして温度分布を例えば有限要素（ＦＥ）計算に基づく従来の計算によって可能なものよりもかなり少ない計算労力しか伴わずに、かなり高速に得ることができる。温度分布関数は、全ての関連光学要素の各々に対してそれぞれ一度、全ての関連熱固有モードの温度分布を事前計算することによって計算される。使用されるマスクと照明設定とに基づいて、温度分布は、マスクレイアウトと照明設定との特定の組合せに対して誘起熱分布を決定し、この誘起熱分布を所定の温度分布関数の中に挿入することによって容易に計算することができる。
【００３１】
従って、本発明の第２の態様による方法は、高い時間分解能により、すなわち、非常に短い期間によって隔てられた時点における温度分布の計算を可能にする。従って、光学要素内での熱伝達の計算をより正確にシミュレートすることができる。特に、得られる投影露光ツールの結像挙動の調節も、高い時間分解能によって行うことができる。更に、結像工程中に温度伝達を実時間で計算することさえ可能である。このようにして、リソグラフィ像に対する放射線誘起変化の効果を特に良好に抑制することができる。本発明の実施形態により、光学要素の温度分布関数は、時間の関数として与えられる。
【００３２】
本発明の実施形態により、光学要素の温度分布関数は、時間の関数として与えられる、すなわち、温度分布関数は時間依存のものである。更に、光学要素にもたらされる決定される熱分布も、有利に時間依存のものである。
【００３３】
本発明の更に別の実施形態により、温度分布関数は、固有値及び固有モードの解析を用いて光学要素の熱輸送方程式を解くことによって与えられる。上述したように、温度分布関数は、投影対物系の各関連光学要素に対して、光学要素の全ての関連熱固有モードの温度分布を事前計算することによって一度計算するだけでよい。有利な態様では、光学要素の熱固有モードは、投影対物系と共に与えられる。１つの変形により、光学要素の熱輸送方程式では、光学要素の光軸の方向に温度が一定であると見なされ、すなわち、温度は、ｚ方向に延びる光軸においてｚに依存しないと見なされる。
【００３４】
本発明の更に別の実施形態により、マスク上の物体構造のレイアウト、特に、結像工程中にマスクを照明する放射線の角度分布を定める照明モードが提供され、光学要素内に誘起される熱分布が、物体構造のレイアウト、特に、照明モードから決定される。この熱分布の決定は、例えば、本発明の第１の態様に関して説明した方法に従って投影対物系に入射する電磁放射線の角度分布を計算することによって行うことができる。投影対物系に入射する放射線の角度分布から、関連光学要素のそれぞれの光学面における強度分布を計算することができる。これらの強度分布から、それぞれの誘起熱分布を決定することができる。
【００３５】
更に別の変形により、物体構造のレイアウトは、物体構造を物体構造の構造タイプとマスク上の物体構造の場所とに従って分類するのに使用され、光学要素内に誘起される熱分布は、物体構造の分類に基づいて計算される。
【００３６】
本発明の更に別の実施形態により、結像されるマスク上の物体構造のレイアウト、特に照明モードが与えられ、物体構造が、その構造タイプに従って分類され、物体構造のこの分類に基づいて、結像工程中の投影対物系の光学特性の変化が計算され、結像工程中に電磁放射線によって引き起こされる投影対物系の光学特性の変化を少なくとも部分的に補償するために、光学特性の計算された変化に基づいて、投影露光ツールの結像挙動が調節される。この実施形態に対しては、本発明の第１の態様に関して上記に例示した。ここに言及した全ての実施形態及び変形は、本発明の第２の態様による方法及び制御装置に適用することができる。
【００３７】
本発明の更に別の実施形態により、投影対物系の一部又は全ての光学要素に対してそれぞれの温度分布が計算され、計算された温度分布から導出されるそれぞれの光学要素の光学特性の変化に基づいて、投影露光ツールの結像挙動が調節される。
【００３８】
本発明の更に別の実施形態により、結像されるマスク上の物体構造のレイアウトが与えられ、与えられたレイアウトに関するリソグラフィ像に対して影響を有する少なくとも１つのリソグラフィ結像誤差が決定され、投影対物系の結像挙動が、電磁放射線によって引き起こされる投影対物系の光学特性の変化を補正するために、少なくとも１つのリソグラフィ結像誤差が低減されるように調節され、投影対物系の結像挙動の調節は、リソグラフィ結像誤差の低減がリソグラフィ像の全体波面偏位の平滑化よりも高い優先度で達成されるように実施される。変形により、結像工程に使用される照明モードが与えられ、この照明モードに基づいて、与えられたレイアウトに関するリソグラフィ像に対して影響を有する少なくとも１つのリソグラフィ結像誤差が決定される。この実施形態に対しては、本発明の第３の態様を参照して以下に更に例示する。ここに言及した全ての実施形態及び変形は、本発明の第２の態様による方法及び制御装置に適用することができる。
【００３９】
本発明の第３の態様により、マイクロリソグラフィのための投影露光ツールを作動させる更に別の方法を提供する。投影露光ツールは、電磁放射線を用いてマスク上の物体構造を像平面内に結像するために、結像中に、電磁放射線が、投影対物系の光学特性の変化を引き起こす投影対物系を含む。本発明の第３の態様による方法は、結像されるマスク上の物体構造のレイアウトを与え、与えられたレイアウトに関するリソグラフィ像に対して影響を有する少なくとも１つのリソグラフィ結像誤差を決定する段階を含む。更に、本方法は、物体構造を像平面内に結像し、投影対物系の結像挙動が、電磁放射線によって引き起こされる投影対物系の光学特性の変化を補正するために、少なくとも１つのリソグラフィ結像誤差が低減されるように調節され、投影対物系の結像挙動の調節が、リソグラフィ結像誤差の低減がリソグラフィ像の全体波面偏位の平滑化よりも高い優先度で達成されるように実施される段階を含む。本発明の第３の態様による実施形態において、マスクは、結像工程中に、マスクを照明する電磁放射線の角度分布を定める特定の照明モードにある放射線を用いて照明され、少なくとも１つのリソグラフィ誤差は、照明設定を考慮して決定される。
【００４０】
更に、本発明の第３の態様により、マイクロリソグラフィのための投影露光ツールを作動させるための更に別の制御装置を提供する。投影露光ツールは、電磁放射線を用いてマスク上の物体構造を像平面内に結像するために、結像中に、電磁放射線が、投影対物系の光学特性の変化を引き起こす投影対物系を含む。制御装置は、結像されるマスク上の物体構造のレイアウトを受け取るための入力デバイスと、与えられたレイアウトにおけるリソグラフィ像に対して影響を有する少なくとも１つのリソグラフィ結像誤差を決定し、かつ電磁放射線によって引き起こされる投影対物系の光学特性の変化を少なくとも１つのリソグラフィ結像誤差が低減されように補正するための調節設定値を計算するように構成され、リソグラフィ結像誤差のこの低減が、リソグラフィ像の全体波面偏位の平滑化よりも高い優先度で達成される処理デバイスとを含む。更に、制御装置は、計算された調節設定値に従って投影対物系の結像挙動を調節するように構成された調節デバイスを含む。本発明により、上述の制御装置を含む投影露光ツールが更に提供される。
【００４１】
言い換えれば、本発明の第３の態様により、露光されるマスクのレイアウトが解析され、所定のリソグラフィ結像誤差によってリソグラフィ像の品質が劣化を受けるという点でマスクのリソグラフィ像に関する少なくとも１つのリソグラフィ結像誤差が決定される。ここでのリソグラフィ結像誤差は、マスクのリソグラフィ像内で観察可能な誤差である。そのようなリソグラフィ結像誤差は、例えば、マスクレイアウトが、非点誤差による影響を受ける直交する向きを有する構造を含む場合は非点誤差とすることができる。この誤差の結果として、直交する向きを有する構造の平面は、この誤差によってシフトされる。リソグラフィ結像誤差の別の例は、像平面内でマスク構造の互いに対するシフトをもたらすコマ誤差である。リソグラフィ結像誤差は、特に、「最良焦点範囲」及び「オーバーレイ」のようなリソグラフィパラメータによって記述することができる。従って、リソグラフィ結像誤差は、例えば、干渉計による以外は測定することができない高次の波面収差、又は所定のマスクレイアウトの結像に影響を及ぼさない波面誤差との比較で定められる。
【００４２】
本発明の第３の態様により、所定のマスクレイアウトにおいて決定される少なくとも１つのリソグラフィ結像誤差を低減又は最小にするために投影対物系の結像挙動が調節される。この調節は、リソグラフィ像の全体波面偏位の平滑化よりも高い優先度で達成される。従って、調節の結果は、全体波面偏位が、絶対偏位及び／又は偏位勾配に関して、決定されたリソグラフィ結像誤差の低減が所定の優先度のものではなかった場合に可能になる程には滑らかにはならないというものである場合がある。波面偏位は、調節がなかった場合のものよりも滑らかではなくなる可能性さえある。その結果、リソグラフィ像に対して影響を有する他のリソグラフィ結像誤差、特に、与えられたレイアウトに対しては殆ど影響を持たないリソグラフィ結像誤差も、結果的に拡大される場合がある。
【００４３】
従って、本発明の第３の態様により、放射線誘起効果に起因する投影対物系の結像挙動の補正に関して、意図的な優先度が設定される。このようにして、露光される所定のマスクのレイアウトにカスタマイズされたリソグラフィ像のスマートな最適化を提供する。このようにして、リソグラフィ像に対する放射線誘起変化の効果は、狭い範囲に保たれる。
【００４４】
本発明の更に別の実施形態により、少なくとも１つの結像誤差は、与えられたレイアウトにおけるリソグラフィ像に対して影響を有する少なくとも１つの他の結像誤差が、調節の結果として拡大されることに関わらず、選択的に低減される。更に別の変形により、低減される結像誤差は、与えられたレイアウトにおけるリソグラフィ像に対して、調節の結果として拡大されるリソグラフィ結像誤差よりも大きい影響を有する。
【００４５】
本発明の更に別の実施形態により、物体構造の与えられたレイアウトに関して、与えられたレイアウトにおけるリソグラフィ像に対して最も大きい影響を有するという点で最も関連のあるリソグラフィ結像誤差を含むリソグラフィ結像誤差サブグループが決定され、電磁放射線によって引き起こされる投影対物系の光学特性の変化を補正するために、リソグラフィ結像誤差サブグループの少なくとも１つの結像誤差が、サブグループ内に含まれない結像誤差が調節の結果として拡大されることに関わらず選択的に低減されるように投影対物系の結像挙動が調節される。この関連におけるサブグループの少なくとも１つの結像誤差の選択的な調節は、特に、サブグループ内に含まれない少なくとも別の結像誤差が調節されないままに残ることを意味する。
【００４６】
本発明の更に別の実施形態により、投影対物系の結像挙動は、得られる結像誤差の低減の範囲が、物体構造の像が結像誤差によって影響を受けるという点で結像誤差が関連性を有するこれらの物体構造のピッチとは基本的に独立であるように調節される。
【００４７】
本発明の更に別の実施形態により、低減される結像誤差は、直交する向きを有する物体構造を異なる平均焦点面内に集束させる。そのような結像誤差を非点収差又はＨ−Ｖ焦点差とも呼ぶ。
【００４８】
本発明の更に別の実施形態により、投影対物系の結像挙動は、得られる直交する向きを有する物体構造の平均焦点面の間の距離が最小にされるように、リソグラフィ像の波面偏位におけるゼルニケ多項式Ｚ５及び／又はＺ６の係数を調節することによって調節される。特に、ゼルニケ多項式Ｚ５（及び／又はＺ６）の係数は、いくつかのピッチに関する水平構造と垂直構造との間（及び／又は４５°回転構造と１３５°回転構造の間）の平均焦点差が最小にされるように調節される。代替的又は追加的に、ゼルニケ多項式Ｚ１７の係数を調節することができる。このようにして、Ｈ−Ｖ（及び／又は４５°−１３５°）焦点差を構造のピッチとは基本的に独立して操作することができる。構造のピッチは、当業者に一般に知られているように、構造の特徴的周期性である。
【００４９】
本発明の更に別の実施形態により、低減される結像誤差は、投影対物系の線形倍率誤差及び／又は３次の歪曲誤差を含む。
【００５０】
本発明の更に別の実施形態により、低減される結像誤差は、直交する向きを有する物体構造の像を像平面内で異なってシフトさせる。このシフトは、異なる方向のシフト及び／又は同じ方向の異なる程度のシフトを意味することができる。
【００５１】
本発明の更に別の実施形態により、投影対物系の結像挙動は、構造のピッチ平均倍率、３次の歪曲、及び／又は一定の横方向シフトが最小にされるように、リソグラフィ像の波面偏位におけるゼルニケ多項式Ｚ２及び／又はＺ３の係数を調節することによって調節される。このようにして、像平面内のパターンシフトを構造のピッチとは基本的に独立して操作することができる。
【００５２】
本発明の更に別の実施形態により、物体構造が、その構造タイプに従って分類され、物体構造のこの分類に基づいて、結像工程中の投影対物系の光学特性の変化が計算され、結像工程中に電磁放射線によって引き起こされる投影対物系の光学特性の変化を少なくとも部分的に補償するために、光学特性の計算された変化に基づいて、投影露光ツールの結像挙動が調節される。この実施形態に対しては、本発明の第１の態様に関して上記に例示した。ここに言及した全ての実施形態及び変形は、本発明の第３の態様による方法及び制御装置に適用することができる。
【００５３】
本発明の更に別の実施形態により、電磁放射線は、結像工程中に、投影対物系の少なくとも１つの単一光学要素の光学特性の変化を引き起こす。この実施形態により、単一光学要素の温度分布関数が与えられ、温度分布関数は、光学要素によって吸収される流入熱分布の解析関数であり、かつ光学要素の熱固有モードを含み、結像工程中に電磁放射線によって光学要素内に誘起される熱分布が決定され、光学要素内に生じる温度分布が、決定された誘起熱分布から温度分布関数を用いて計算され、物体構造が像平面内に結像され、計算された温度分布から導出された光学要素の光学特性の変化に基づいて、投影露光ツールの結像挙動が調節される。この実施形態に対しては、本発明の第２の態様に関して更に以下に例示する。ここに言及した全ての実施形態及び変形は、本発明の第３の態様による方法及び制御装置に適用することができる。
【００５４】
上記に詳述した本発明の態様のうちのいずれか１つによる方法に関して上記に特定された特徴は、本発明による制御装置及び投影露光ツールに対応して移し替えることができる。この移し替えによってもたらされる本発明による制御装置及び投影露光ツールの有利な実施形態は、本発明の開示によってカバーされるべきである。
【００５５】
本発明の上述した並びに他の有利な特徴は、以下の模式的な図面への参照を有する以下に続く本発明の例示的な実施形態の詳細説明から明らかになるであろう。
【図面の簡単な説明】
【００５６】
【図１】マスクを基板上に結像するための投影対物系を有するマイクロリソグラフィのための投影露光ツールの図である。
【図２】異なる物体構造タイプの領域を示すマスク上の例示的なチップレイアウトの図である。
【図３】異なる物体構造タイプによって発生する回折角度分布の組合せの図である。
【図４】図１の投影対物系の例示的なレンズの断面図である。
【図５】図４に記載のレンズ内での熱移動を計算するのに得られる例示的な固有モードの図である。
【図６】図５の固有モードに対応する例示的な固有値の図である。
【図７】ゼルニケ多項式Ｚ５によって特徴付けられる波面偏位によってもたらされる焦点シフトのシミュレーション図である。
【図８】ゼルニケ多項式Ｚ２によって特徴付けられる波面偏位によってもたらされるパターンシフトのシミュレーション図である。
【図９】ゼルニケ多項式Ｚ３によって特徴付けられる波面偏位によってもたらされるパターンシフトのシミュレーション図である。
【図１０】本発明による投影露光ツールを作動させる方法の実施形態を示す、段階Ｓ１からＳ５を含む流れ図の最初の部分である。
【図１１】投影露光ツールを作動させる方法の上述の実施形態を示す段階Ｓ６からＳ１１を含む流れ図の第２の部分である。
【発明を実施するための形態】
【００５７】
以下に説明する本発明の実施形態において、機能及び構造において類似の構成要素を可能な限り同じか又は類似の参照番号で表している。従って、特定の実施形態の個々の構成要素の特徴を理解するには、他の実施形態の説明又は本発明の概要を参照されたい。
【００５８】
図１は、マイクロリソグラフィのための投影露光ツール１０の非常に簡単なブロック図を示している。投影露光ツール１０は、例えば、２４８ｎｍ又は１９３ｎｍを含むＵＶ領域内の波長、又は極紫外波長領域（ＥＵＶ）内の特に１００ｎｍよりも小さい、例えば、１３．４ｎｍの波長を有する電磁放射線１３を生成する放射線源１２を含む。この例示的な実施形態において、放射線源１２を以下に説明する投影露光ツールの構成要素によって定められる光軸１４上に示している。
【００５９】
放射線源１２によって生成された放射線は、例えば、レンズ及び／又はミラーの形態にある複数の光学要素１８を有する照明系１６にもたらされ、これらの光学要素１８のうちの１つのみを象徴的に示している。照明系１６は、ビーム経路内で照明系１６の後に配置されたマスク２０を照明するように機能し、このマスク２０をレチクルとも呼び、マスク２０は、物体平面２２内に置かれる。照明系１６は、特に、マスク２０を照射する放射線１３の照明モードと呼ぶ角度分布を使用されるマスク２０に適応させることができるように構成することができる。
【００６０】
マスク２０は、ウェーハの形態にある基板２４上に結像される物体構造を保持する。この結像目的で、マスク２０上の物体構造は、マスク２０の後に配置された投影対物系２６を用いて、投影対物系２６に続く像平面２８内に投影される。照明系１６と同様に、投影対物系２６も、例えば、レンズ又はミラーの形態にある複数の光学要素３０を含み、これらの光学要素３０のうちの１つのみを象徴的に示している。光学要素１８及び／又は３０がレンズとして構成される場合には、これらの光学要素を例えば石英ガラス（溶融シリカ）又はフッ化カルシウムで構成することができる。
【００６１】
基板２４は、投影対物系２６の像平面２８に配置され、投影露光ツール１０を用いて露光される感光層を含む。それによってマスク２０上の物体構造は、結像工程において基板２４上に転写される。基板２４の露光の後に、基板２４は、露光によって感光層内に作成された構造に基づいて処理を受ける。その後に、更に別の露光及びそれに基づく更に別の処理を続けることができる。この手順は、基板２４が全ての望ましい構造を有するのに必要な回数だけ繰り返される。
【００６２】
短い露光時間を得るために、露光において非常に高い強度の放射線が使用される。それによって投影対物系２６の光学要素３０が、放射線による非常に強い照射を受けるという結果がもたらされる。更に、重大なことに、光学要素３０の少なくとも一部における放射線露光は、これらの光学要素の使用可能面にわたって均一に分散されず、時に使用可能面よりもかなり小さい部分領域内に集中する。従って、非常に高い強度が局所的に発生することができ、それによって光学要素３０の特性において放射線誘起変化がもたらされる場合がある。既に上記に詳述したように、例えば、光学要素、例えば、レンズ又はミラー内に吸収される放射線は、光学要素内に局所的な温度変化の効果を有することができ、それによって光学要素内に局所的な屈折率及び面の変化がもたらされる場合がある。この効果は可逆性の短期の効果であり、「レンズ加熱」として公知である。更に、放射線は、「寿命効果」として公知の不可逆的な長期の効果をレンズ内にもたらされる場合がある。そのような効果は、レンズのコンパクション（密度増大）又はレアファクション（密度低下）を含む。
【００６３】
説明した光学要素３０の光学特性における放射線誘起変化、及び場合によって他の変化は、不均一な強度、変動する偏光状態、収差などをもたらす場合がある。
【００６４】
長い照射時間による光学要素３０の光学特性における放射線誘起変化は、投影対物系２６がもはや所定の仕様を満たさず、従って、投影露光ツール１０が、定められた目的に対してもはや使用可能ではないという結果をもたらす場合がある。投影露光ツール１０のどのような使用状態の下で、仕様からの許容不能なずれが発生することになるかは、結像工程中の単一光学要素３０内の放射線の分布に大幅に依存することになる。
【００６５】
光学要素３０内の放射線の分布は、投影対物系２６に入射する放射線１３ｂの角度分布である、マスク２０によって発生する放射線１３ｂの回折角度分布から推定することができる。回折角度分布は、既に上述したように、照明系１６によって使用される照明モードによって定められる、マスク２０を照射する照明放射線１３ａの角度分布に依存する。照明設定とも呼ぶそのような照明モードの例は、二重極照明、輪帯照明、及び四重極照明等である。更に、放射線１３ｂの回折角度分布は、マスク２０のレイアウトに依存する。回折角度分布の厳密な計算は、最初にマスクレイアウトのフーリエ変換を計算し、次に、マスクレイアウトのフーリエ変換と、照明放射線１３ａの角度分布との畳み込みを計算することによって行うことができる。この計算には、それぞれのマスク２０上に含まれる全ての物体構造を含めなければならない。従って、この計算には、一般的に多大な計算リソースが必要である。
【００６６】
放射線１３ｂの回折角度分布をより少ない計算リソースのみを用いて、より短い時間で計算することを可能にするために、本発明により、最初に、マスク２０上に含まれる物体構造の分類が実施される。図２に、マスク２０上に書き込まれたフルチップレイアウトの例の形態に示すように、マスク２０上の物体構造のレイアウトが解析され、物体構造は、これらの構造タイプに従って分類される。それによってマスク区域は、いくつかのタイプの領域、例えば、密に配列された物体構造を含むいわゆるセル区域３２と、セル区域３２内の構造の配列密度と比較して疎に配列された物体構造を含むいわゆる周辺部３４とに分割される。構造の分類基準は、例えば、物体構造の向き及び形状タイプを更に含むことができる。更に、分類された領域の相対的な面積又はサイズが決定される。図２に示す例では、各々がフルチップ３１の面積のうちの３０％を覆う２つのセル区域が存在し、一方、残りの４０％の区域が周辺部３４によって覆われる。従って、「セル区域」タイプの物体構造に６０％の面積が割り当てられ、「周辺部」タイプの物体構造に４０％の面積が割り当てられる。
【００６７】
この分類は、図１に示す制御装置４０において行われる。制御装置４０は、入力デバイス４２と、処理デバイス４４と、調節デバイス４６とを含み、投影露光ツール１０内に完全に統合することができる。代替的に、入力デバイス４２及び処理デバイス４４は、投影露光ツール１０から分離することができる。入力デバイス４２は、露光されるそれぞれのマスク２０上の物体構造のレイアウトを受け取るように構成される。処理デバイス４４は、上述の物体構造の分類を行う。
【００６８】
その後に、処理デバイス４４は、物体構造の分類に基づいて投影対物系２６の光学特性の変化を計算する。上述の変化の厳密な計算と比較すると、この計算はあまり正確ではなく、従って、近似と呼ぶことができる。上述の目的で、放射線１３ｂの回折角度分布が、分類において決定された各個別の物体構造タイプに対して計算される。この計算は、フルマスクレイアウトから回折角度分布を計算する段階に関して上述した手法と同じく行われる。本発明により、最初に、それぞれの物体構造のレイアウトのフーリエ変換が計算され、次に、物体構造のフーリエ変換と、照明放射線１３ａの角度分布との畳み込みが計算される。結果は、分類において決定された物体構造タイプの各々に関する仮想有効瞳である。
【００６９】
図３は、図２の物体構造タイプに対して計算された放射線１３ｂの回折角度分布の例である。図３の左上のグラフは、二重極照明モードで照明されている密に配列された「セル区域」タイプの物体構造に対して計算された回折角度分布を示している。図３の右上のグラフは、疎に配列された「周辺部」タイプの物体構造に対して計算された回折角度分布を示している。「周辺部」タイプの物体構造は、空きフレームとも呼ぶ、構造を全く含まない領域によって模擬したものである。従って、右のグラフには、二重極照明の角度分布のみを示している。
【００７０】
次に、放射線１３ｂの全体角度分布近似が、分類された個別の物体構造タイプに関する角度分布の重み付きの和から計算される。それによって個々の角度分布が、それぞれの構造タイプによって覆われるマスク区域の決定された相対サイズ及びこれらの区域の透過率によってそれぞれ重み付けされる。図２及び図３に示す例では、セル区域３２に関する仮想角度分布又は仮想瞳は６０％だけ重み付けされており、周辺部３４に関する仮想角度分布又は仮想瞳は４０％だけ重み付けされている。図３の下のグラフに例示的に示す重み付きの和は、マスク２０上のフルチップ３１の角度分布又は瞳の近似である。一般的に１つのマスク２０は、いくつかの同一のチップ３１を含む。この場合、フルチップ３１の決定された瞳は、全体のマスク３１の瞳に対応する。
【００７１】
次に、処理デバイス４４は、結像工程中にもたらされる投影対物系２６の光学特性の変化を投影対物系２６に入射する放射線１３ｂの決定された全体角度分布から計算する。この計算は、投影対物系２６の単一光学要素３０内に誘起される熱分布を放射線１３ｂの決定された全体角度分布から計算することによって行うことができる。そのために、単一光学要素３０のそれぞれの面上、及び容積域内の放射線１３ｂの分散が決定され、レンズの形態にあるとすることができる光学要素３０内で放射線１３ｂから生成される熱の伝達が計算され、それぞれの光学要素内の時間的に分解された熱分布が得られる。本発明による熱伝達の方法の例を以下に詳細に示している。
【００７２】
計算された光学要素３０の時間分解の熱分布から、それぞれの光学要素３０の光学特性の変化、例えば、屈折率変化及び面変形が決定される。光学要素３０の光学特性におけるこの変化から、処理デバイス４６は、光学特性におけるこの変化を補償するのに必要な投影露光ツール１０に対する調節を計算し、そのような調節を行うように調節デバイス４６を制御する。投影露光ツール１０に対する調節は、光学特性が変化した光学要素３０又は他の光学要素３０に対して加えることができる。これらの調節により、特に投影対物系２６の結像挙動が調節される。代替的又は追加的に、例えば、照明系１６の光学要素１８を操作することにより、全体的な投影露光ツール１０の結像挙動を調節することを有利とすることができる。一般的にこの調節は、異なるタイプのものとすることができるマニピュレータを用いて実施される。以下に続く本文の様々な箇所において、いくつかのマニピュレータに言及する。
【００７３】
図１０及び図１１は、本発明による投影露光ツールを作動させる方法の実施形態を示す流れ図を含む。本方法は、段階番号への明示的な参照なしに、上記に詳細に説明した段階Ｓ１からＳ１１を含む。本発明による方法の他の実施形態は、本発明の説明において開示する段階Ｓ１からＳ１１のうちの一部のみを含む。
【００７４】
本発明の一実施形態により、光学要素３０の光学特性の変化を補償するのに必要な光学要素３０に対する調節の計算は、最初に、計算された光学特性の変化からもたらされる像平面２８内の波面偏位を計算することによって実施される。この波面偏位から、この計算された波面偏位を補償するのに必要な調節が計算される。１つの変形では、調節の目標は、可能な限り滑らかな波面を得ることとすることができる。更に、以下に詳細に例示する別の変形では、あるリソグラフィ結像誤差の低減を優先することができる。
【００７５】
図１の調節デバイス４６は、それぞれの光学要素３０に配置されたマニピュレータを含む。例示のために、図２の調節デバイス４６を光軸１４に沿って光学要素を移動するための移動マニピュレータとして示している。光軸１４に関して光学要素を回転させるか、又は特にミラーの形態にある光学要素２０を変形するように追加的又は代替的なマニピュレータを構成することができる。代替的又は追加的に、露光ツールの他のパラメータ、照明系内の類似の光学要素を結像挙動を適宜調節するために操作することができる。適切なマニピュレータの例が、例えば、ＵＳ  ２００４／０１５５９１５  Ａ１に示されており、この文献は、引用によって本明細書に含まれている。下記では、他の例についても述べられる。
【００７６】
例えば、投影対物系２６の単一光学要素３０を操作することによる投影露光ツール１０の結像挙動の調節は、基板２４の露光の前に行うことができる。代替的に、この調節は、入射する放射線に起因して露光工程において発生する誤差を絶えず補正することにより、結像工程中に動的に行うことができる。
【００７７】
上述したように、投影露光ツールの結像挙動の調節は、例えば、投影対物系２６内の適切なレンズ要素の位置又は形状のアクチュエータを用いた操作によって行うことができる。投影対物系２６の設計に基づいて、全てのレンズ要素のうちのサブグループのみ、又は更に時に１つのレンズ要素のみを操作することにより、投影対物系２６全体の波面偏位を補正することを可能にすることができる。いくつかの設計では、投影対物系２６の瞳平面内又はその近くにあるレンズ要素とすることができるいわゆる等価レンズ要素によって波面偏位を近似的に補正することができる。
【００７８】
以下では、投影対物系２６のレンズ要素の形態にある単一光学要素３０内の熱伝達を計算するための本発明による方法の実施形態を詳細に例示する。この計算は、レンズ要素内に誘起される熱分布から生じるレンズ要素内の温度分布を計算することによって行われる。上述したように、レンズ要素内に誘起される熱分布は、投影対物系２６に入射する放射線１３ｂの角度分布から導出される。本発明のこの実施形態による方法は、有限要素法（ＦＥＭ）の使用なしに、レンズ加熱の計算を可能にする。ＦＥＭの使用と比較すると、この実施形態による方法は、レンズ加熱効果をより高速に計算することを可能にする。
【００７９】
石英、フッ化カルシウム、又は他のガラスに基づくレンズ要素内のレンズ加熱のモデル化では、所定の境界状態を用いて熱方程式が解かれる。レンズ内部の加熱プロセスは、例えば、ガラスで作成されたレンズのバルク材料及びその上に付加されたコーティング内に電磁放射線を吸収する結果である。
【００８０】
以下では、本発明による投影対物系のレンズの形態にある光学要素３０内の熱輸送を計算するためのモデルを図４に示すレンズ要素５０を参照して例示する。レンズ要素５０をｚ座標軸がレンズ要素５０の光軸５２に対応する円柱座標系を用いて説明する。座標ρは、ｚ軸からの距離を指し、φは、角座標又は方位角を指す。本発明による以下のモデルでは、環境内の対流又は気流を考慮しない。更に、レンズ内部におけるｚ依存性を考慮しない。これは、レンズ加熱のフットプリントが、レンズの一方の側から他方の側に大幅には変化しないことを結果が示すことで正当化される。
【００８１】
このモデルは、光学要素の固有モードを含む温度分布解析関数を用いた誘起熱分布から生じるレンズ要素５０内の温度分布の計算を可能にする。
【００８２】
最初の部分では、数値的に解くべき形態にあるレンズ要素５０の熱方程式をもたらす本発明のモデル化の解析部分を示している。
【００８３】
式（１）は、本出願では誘起熱分布又は入射熱分布とも呼ぶ熱源Ｗ（ｔ，ρ，φ）に関する時間依存の熱方程式である。
0006012628.tif 000002
ここで、θは温度であり、ｔは時間である。パラメータσは次式のように定められる。
0006012628.tif 000003
ここでλは熱伝導率であり、ρ’は密度であり、ｃrは、レンズ要素５０のバルク材料の比熱容量である。既に上述したように、温度θは、ｚに依存しないと見なされる。
0006012628.tif 000004
【００８４】
この仮定を用いて、式（１）を次式のように書くことができる。
0006012628.tif 000005
【００８５】
式（４）が、解くべき微分方程式である。レンズ要素５０の３次元幾何学構成を考慮することを可能にする数学的手法が選択される。熱は、レンズ要素内でレンズの装着部に向けて半径方向（ρ）にしか流れないと仮定することにより、レンズ面５４を通る熱流は考慮されない。熱流は、放熱、従って、レンズ要素５０の装着部の外側境界までの最短路を辿る。
【００８６】
図４を参照すると、熱伝導率λは、次式のようにレンズ半径ρの関数として表すことができる。
0006012628.tif 000006
ここでλ0は、レンズ要素５０の中心における熱伝導率であり、ｄ0は中心厚である。
【００８７】
熱方程式（４）は、時間と空間との分離によって解かれる。
0006012628.tif 000007
【００８８】
上述の仮定を用いて、Ｗ（ｔ，ρ，φ）≡０である同次熱方程式を次式のように書くことができる。
0006012628.tif 000008
ここで以下の項は一定であり、Γと呼ぶ。
0006012628.tif 000009
ここでＷ（ｔ，ρ，φ）≡０である同次熱方程式を２つの別個の微分方程式、すなわち、以下の時間依存の微分方程式（９）とρ及びφの微分方程式（１０）とで書くことができることに注意されたい。
0006012628.tif 000010
0006012628.tif 000011
ここでΓ≡定数である。
【００８９】
この式（９）の解は公知であり、後に紹介する。式（１０）は、以下の項によって更に分離することができる。
0006012628.tif 000012
【００９０】
φの式（１０）は、次式のように書くことができる。
0006012628.tif 000013
ここでｍ2は一定であり、次式のように定められる。
0006012628.tif 000014
【００９１】
式（１２）は、以下の項によって解くことができる。
0006012628.tif 000015
これは、（１４）の２次微分を次式（１５）のように書くことができ、式（１２）を与えるからである。
0006012628.tif 000016
【００９２】
従って、変数ｍは、解の方位角依存性を表している。
【００９３】
ρの式（１０）は、次式のように書くことができる。
0006012628.tif 000017
又は、
0006012628.tif 000018
ここで、
0006012628.tif 000019
である。
【００９４】
以下では、この式を固有モードソルバを用いた数値的手法によって解く。
【００９５】
式（１６）は、半径方向離散化手法によって数値的に解くことができる。一様な関数と離散関数との間で区別を付けるために、離散関数はハット符号を有するように書かれる。
0006012628.tif 000020
に対するＮ×Ｎの微分演算子Ｄが、次式の通りに定められる。
0006012628.tif 000021
ここでＮは、半径（ρ）方向の離散化点の個数であり、ｈは離散化距離である。
【００９６】
以下の離散化手法が使用される。
0006012628.tif 000022
【００９７】
離散化手法は、点「ｏ」と「ｘ」とにおいて２つの離散システムを含む。点「ｏ」において温度θ及びその２次微分ｄ2θ／ｄ2ρが定められる。点「ｘ」では１次微分ｄθ／ｄρが定められる。左側では、温度の１次導関数はゼロにならなければならない（ノイマン境界条件）ことに注意されたい。右側では、装着部の境界条件は、θ＝０（ディリクレ境界条件）である放熱を表している。
【００９８】
変数ρ及びσ（ρ）は、ガラスと気層の間のノードにおける熱伝導率が、これらの両方の算術平均値と見なされる対角行列として書くことができる。ガラスと装着部の間のそのような気層を有することで、モデル内に装着部に対する不完全な熱接触が含まれる。気層の厚みは、当業者に公知の有限要素計算を用いてレンズ内の温度分布を計算するための従来の手法におけるレンズ要素５０と装着部の間の距離に等しい。本発明によるモデルと有限要素計算の間の相関性を求めるために、気層の有効熱伝導率は、０．０２５５ｍＷ／ｍｍ／Ｋに設定される。この値は、Ｎ2の熱伝導率よりも若干高いことに注意されたい。
【００９９】
式（１６）の演算子Ｑを演算子行列
0006012628.tif 000023
によって離散形式で書くことができ、異なる離散化手法を考慮すべきである。
0006012628.tif 000024
【０１００】
変数
0006012628.tif 000025
は列ベクトルであり、
0006012628.tif 000026
は対角行列である。行列
0006012628.tif 000027
は、
0006012628.tif 000028
に対する転置行列である。この演算子
0006012628.tif 000029
を使用すると、式（１６ｂ）は、解が当業者に公知の数値的固有値問題になる。
0006012628.tif 000030
【０１０１】
この場合、Γiは固有値であり、
0006012628.tif 000031
は、
0006012628.tif 000032
の固有ベクトルであり、非自明解において、以下の行列式はゼロにならなければならない。
0006012628.tif 000033
【０１０２】
0006012628.tif 000034
を固有値Γ1，．．．，Γnを有する対角行列とする。
0006012628.tif 000035
【０１０３】
この場合行列
0006012628.tif 000036
を次式のように書くことができる。
0006012628.tif 000037
【０１０４】
行列
0006012628.tif 000038
は、
0006012628.tif 000039
の固有ベクトル
0006012628.tif 000040
を含むことに注意されたい。
0006012628.tif 000041
である非同次熱方程式（４）の場合の離散温度分布は、同次熱方程式のこれらの解に展開することができる。
0006012628.tif 000042
ここで列ベクトル
0006012628.tif 000043
は、固有ベクトルの展開係数を表している。上述の式を用いて、非同次熱方程式（１）を次式のように書くことができる。
0006012628.tif 000044
【０１０５】
（２２）の下の
0006012628.tif 000045
の定義を用いて、式（２４）を次式のように書き直すことができる。
0006012628.tif 000046
【０１０６】
この式から、以下の行列式を得ることができる。
0006012628.tif 000047
【０１０７】
式（２６）の解は次式の通りである。
0006012628.tif 000048
【０１０８】
パラメータＡは、ｔ＝０における境界条件を考慮することによって見出される。
0006012628.tif 000049
0006012628.tif 000050
【０１０９】
従って、解（２７）を次式のように書くことができる。
0006012628.tif 000051
【０１１０】
関数
0006012628.tif 000052
は、次式を用いて元の基底系に変換すべきであることに注意されたい。
0006012628.tif 000053
【０１１１】
従って、時間依存の熱方程式（１）の解を次式のように書くことができる。
0006012628.tif 000054
【０１１２】
この式では、
0006012628.tif 000055
は、温度値を含む列ベクトルであり、
0006012628.tif 000056
は、流入熱の値を含む列ベクトルであり、各々は、ρ及びφそれぞれの離散化値に対するものである。
【０１１３】
既に上述したように、
0006012628.tif 000057
は、解の固有モード又は熱モードとも呼ぶ固有ベクトルを含む。図５は、例示的なレンズにおける固有値問題（１９）を解くことによって得られた固有モード１から２５を示している。この図では、基本モードとも呼ぶ固有モード１番が、最大値を中心に有する回転対称分布を示すことに注意されたい。全ての固有モードを境界のソース／シンクによって励起することができるわけではない。図５に示す例では、固有モード２番、３番、４番、５番、７番、８番、９番、１０番、１３番、１４番、１８番、１９番、２２番、及び２３番のみを境界から励起することができる。一部の実施形態により、投影対物系２６のそれぞれの光学要素３０の固有モードは、工場において決定され、投影対物系２６と一著に納品時に顧客に提供される。
【０１１４】
図６は、図５に示すそれぞれの固有モードに対する対角行列
0006012628.tif 000058
内に含まれる定数τを示している。投影対物系内の所定のレンズに対して
0006012628.tif 000059
及び
0006012628.tif 000060
を決定した後に、式（３２）から
0006012628.tif 000061
を計算することにより、レンズ内の温度分布の時間挙動を容易に得ることができる。この計算のためには、レンズ要素５０内にもたらされる流入熱分布のベクトル
0006012628.tif 000062
を与えるだけでよい。式（３２）は、結像工程に使用される投影対物系の単一のレンズ要素の温度分布解析関数を構成する。温度分布関数は、熱固有モード
0006012628.tif 000063
を含む。流入熱分布
0006012628.tif 000064
は、例えば、使用される各マスクに対して、個々のマスクのレイアウトから、及び上述したようにマスクを露光するのに使用される照明モードから別個に計算することができる。
【０１１５】
投影対物系２６の設計と、その内部に含まれる個別レンズ要素のレンズ加熱に対する感度とに基づいて、これらのレンズ要素の一部又は全ての温度分布を上述の方法を用いて計算することができる。従って、上記に詳述したように、
0006012628.tif 000065
をそれぞれの流入熱分布
0006012628.tif 000066
の関数として式（３２）から得るためには、
0006012628.tif 000067
及び
0006012628.tif 000068
をそれぞれのレンズ要素に対して決定されなければならない。特定のマスクを露光する前に、計算に含まれるレンズ要素の各々に対して、流入熱分布
0006012628.tif 000069
が決定される。マスクの露光中には、上述したように計算されたレンズ要素内の温度分布
0006012628.tif 000070
から導出されるレンズ要素の光学特性の変化に基づいて、投影露光ツールの結像挙動が調節される。
【０１１６】
この調節のために、上述したように、例えば、計算された温度分布
0006012628.tif 000071
から、結像工程中にそれぞれのレンズ要素における面変形及び／又は屈折率変化に起因してもたらされる波面偏位又は特定のリソグラフィ結像誤差が計算され、投影露光ツール１０の結像挙動に対する必要な調節が決定される。本発明による投影露光ツール１０の結像挙動を操作する更に別の変形では、レンズの光学特性に影響を及ぼすために、１つ又はいくつかのレンズの装着部が、加熱及び／又は冷却される。この目的のために、上記に例示した数学ツールを用いて、光学特性における必要な変化を発生させるのに適する、レンズ装着部の温度分布が計算される。
【０１１７】
波面偏位は、それぞれのゼルニケ係数を決定することによって計算することができる。この場合、各ゼルニケ係数は、異なる熱固有モードの関数である。一般的に低次の固有モードが大半を占める。その後に、計算された波面偏位又はそれぞれのリソグラフィ結像誤差を相殺するのに必要とされる投影露光ツール１０の結像挙動の調節が決定される。
【０１１８】
本出願で言及するゼルニケ係数は、多項式基底としてゼルニケ多項式が使用されるゼルニケによる多項式展開に関する。ゼルニケによる多項式展開は、当業者には、例えば、Ｊｏｈｎ  Ｗｉｌｅｙ  ＆  Ｓｏｎｓ，Ｉｎｃ．から出版され、Ｄａｎｉｅｌ  Ｍａｌａｃａｒａによって編集された教科書「光学工場試験（Ｏｐｔｉｃａｌ  ｓｈｏｐ  ｔｅｓｔｉｎｇ）」、第２版（１９９２年）の第１３章２．３から公知である。本出願では、波面偏位Φ（ρ，φ）のゼルニケによる多項式展開を次式のように定める。
0006012628.tif 000072
ここで、ρ，φは、投影対物系２６の瞳平面内の極座標であり、Ｚjは、いわゆるフリンジ分類におけるゼルニケ多項式であり、ｃjは、それぞれのゼルニケ多項式に関するゼルニケ係数である。ゼルニケ多項式のフリンジ分類は、例えば、Ｈ．Ｇｒｏｓｓによって編集された「光学系のハンドブック（Ｈａｎｄｂｏｏｋ  ｏｆ  Ｏｐｔｉｃａｌ  Ｓｙｓｔｅｍｓ）」、２００５年、「Ｗｉｌｅｙ−ＶＣＨ  Ｖｅｒｌａｇ  ＧｍｂＨ  ＆  Ｃｏ．ＫＧａＡ」、ヴァインハイム、ドイツの２１５ページの表２０−２に例示されている。
【０１１９】
上述したように、調節の目標は、可能な限り滑らかな波面を得ることとすることができる。それによって絶対波面誤差及び／又はその勾配が最小にされることになる。一般的に、この最小化は、いわゆるゼルニケ最適化を行うことによって実施される。ゼルニケ最適化では、決定された波面偏位の全てのゼルニケ係数を均等に最小にすることが目標である。本発明による実施形態において、ゼルニケ係数は、最適化問題の目的関数において、リソグラフィ用途に対するこれらの係数の重要度に依存して異なって重み付けされる。例えば、瞳にわたって一定である係数Ｚ１は、像に対して無意味なものとすることができ、従って、最適化問題では０％で重み付けすることができる。
【０１２０】
本発明による別の実施形態において、この調節は、最適化問題の目的関数において、視野点とも呼ぶ像平面内の少なくとも１つの場所を他の視野点と比較して異なって重み付けすることによって決定される。一般的に、この最適化では、像視野内の全ての点の「ゼルニケ分解」の形態にある波面収差が考えられている。
【０１２１】
本発明のこの実施形態により、最適化問題の目的関数において、視野点が、その重要度に従って重み付けされる。ステップアンドスキャンシステムの形態にある投影露光ツール１０の場合には、露光ツールの走査方向にある投影対物系２６の像点の線全体が、マスク２０上の１つの点の結像において寄与する。それによって対物系２６の像点のそれぞれの寄与は、マスク２０の非一定の照明分布に起因して大きさが異なる。
【０１２２】
この場合、補正において対物系２６の像点の重み付けのいくつかの変形が可能である。１つの変形により、対物系２６の全ての像点が均等に重み付けされる（従来のフル視野補正）。別の変形により、対物系２６の像点は、これらの像点の像への寄与に従って重み付けされる（重み付きフル視野補正）。更に別の変形により、マスク２０上の１つの点の結像に寄与する波面の重み付き平均化が実施される。この重み付けは、像へのこれらの波面の寄与に従って実施される。次に、対物系２６のスキャナ平均の１次元像視野が最適化される（スキャナ積分補正）。
【０１２３】
本発明の更に別の実施形態により、投影露光ツール１０の結像挙動を調節するのに第１のアクチュエータと第２のアクチュエータが使用され、これらのアクチュエータの各々は、第１の結像誤差を修正することを可能にし、第１のアクチュエータは、第２の結像誤差を修正することも可能にする。しかし、第１のアクチュエータの所定の操作に対して、第２の結像誤差の反応は、第１の結像誤差の反応よりも小さい。これらのアクチュエータは、第１のアクチュエータの所定の操作に対する第２の結像誤差の反応が所定の閾値よりも大きい場合に、第２の結像誤差を最小にするためにのみ操作される。
【０１２４】
このようにして、最適化から１つの自由度が除外される。本方法を使用すると、いくつかの有利な効果を得ることができる。１つの有利な効果は、波面の小幅な改善に大きい移動が必要とされないことが保証されるので、アクチュエータの移動が経済的に使用されることである。更に、理論的に、大きい効果の小さい差によって達成することができる小幅な改善は、アクチュエータの厳密な調節に過度に依存することになるので、これらの改善が試みられないことが保証される。
【０１２５】
結像挙動の調節は、マスクの露光の前に行うことができる。この場合、結像工程中に調節パラメータは一定に保たれる。温度分布
0006012628.tif 000073
は時間の関数であることが既知であるので、結像工程中の各時点におけるレンズ要素の光学特性の変化が把握される。従って、この調節は、結像工程中に動的に行うことができる。一般的にレンズの加熱及び冷却の時定数は、数分から数十分程度である。従って、動的調節が、対応する時間枠にわたって、すなわち、特にウェーハ上のいくつかの視野の露光、いくつかのウェーハの露光、又は更に場合によって異なるマスクを使用するいくつかのロットのウェーハの露光に必要とされる時間範囲にわたって実施される場合は有利である。
【０１２６】
上述したように、これらの調節は、可能な限り滑らかな波面を得るために行うことができる。以下に例示する別の実施形態により、調節の優先度を１つ又はいくつかの特定のリソグラフィ結像誤差の低減とすることができる。
【０１２７】
この実施形態により、露光されるマスク２０のレイアウトが入力デバイス４２によって受け取られ、次に、処理デバイス４４によって解析される。それによってマスク２０のリソグラフィ像に関する少なくとも１つのリソグラフィ結像誤差が決定される。そのようなリソグラフィ結像誤差の例は、マスク上で直交する向きを有する物体構造を異なる焦点面内に集束させる非点誤差とすることができる。そのようなリソグラフィ結像誤差の別の例は、所定のマスクレイアウトのリソグラフィ像に関する線形倍率誤差又は３次の歪曲誤差とすることができる。
【０１２８】
所定のマスクレイアウトに対して１つ又はいくつかの関連するリソグラフィ結像誤差が識別された後に、識別された結像誤差を最小にするために、調節デバイス４６を用いて投影対物系２６の結像挙動が調節される。それによってこれらの誤差の最小化に、他の結像誤差の可能な低減、特に像平面２８内で最適に滑らかな全体波面を得るという目標よりも大きい優先度が与えられる。波面偏位は、この調節がない場合のものよりも滑らかではなくなる可能性もある。その結果、リソグラフィ像に対して影響を有する他のリソグラフィ結像誤差、特に与えられたレイアウトに対して殆ど影響を持たないリソグラフィ結像誤差も、結果的に拡大される場合がある。
【０１２９】
以下では、最小にされるリソグラフィ結像誤差が、マスク上で直交する向きを有する物体構造を異なる焦点面内に集束させる結像誤差である本発明による実施形態を示している。多くの場合に、マスク２０上の物体構造の主な向きは、投影対物系２６の通常は矩形である像視野の縁部と平行である（Ｈ構造及びＶ構造）。多くの場合に、特に小さいピッチを有するいわゆるコア構造の向きが第１の方向（１次構造方向又はコアとも呼ぶ）に定められ、それに対して、大きいピッチを有するいわゆる周辺構造の向きが垂直に定められる（２次構造方向又は周辺部とも呼ぶ）。二重極照明の場合には、極の向きは、コア構造の向きに関連付けられる。垂直のコア構造及び水平の周辺構造では、ｘ二重極が使用され、それに対して水平のコア構造及び垂直の周辺構造では、ｙ二重極が使用される。
【０１３０】
各構造方向に対して、平均焦点面は、使用される全てのピッチ及び像平面２８内の全ての視野点にわたる最小焦点面と最大焦点面との算術平均として定めることができる。照明設定、例えば、二重極の向きが特に良好に調節される最臨界物体構造の大きい焦点深度に起因して、最臨界物体構造のピッチ付近のピッチ区域を無視することができる。
【０１３１】
全ての構造が焦点深度内にあることを保証するためには、全ての視野点、ピッチ、及び向きに対して最良焦点面が、像平面２８付近の狭い範囲になければならない。従って、最適化される１つの重要なメトリックは、水平構造と垂直構造の間の平均焦点面の差、いわゆるＨ−Ｖ差である。別の重要なメトリックは、全てのピッチ及び視野点にわたる基板平面からのコア構造の焦点面の最大偏位であるコア構造の最良焦点シフトである。コア構造＋周辺構造の最良焦点シフトは、全てのピッチ及び視野点にわたるコア構造及び周辺構造の焦点面の基板平面からの最大偏位である。
【０１３２】
ゼルニケベースの補正の場合には、最適化の目標は、像平面内で可能な限り滑らかな波面を得ることである。従って、そのような最適化では、Ｚ１２、Ｚ２１、Ｚ３２（２葉）、又はＺ１７、Ｚ２８（４葉）のような一般的に高次の収差であるＨ−Ｖ差を誘起する波面収差を全て補正することができるわけではないので、一般的にＨ−Ｖ差はゼロではない。それとは対照的に、ここに解説する実施形態により、最適化の目標は、Ｈ−Ｖ差を最小にすることである。
【０１３３】
本発明による１つの変形では、Ｈ−Ｖ焦点差は、リソグラフィ像の波面偏位において、上記に定めたゼルニケ多項式Ｚ５の係数を操作することによって最小にされる。一般的に、水平構造の焦点位置は、垂直構造の焦点位置に対して、例えば、Ｚ５、Ｚ９、Ｚ１２、Ｚ１６、Ｚ１７のような偶数の方位角方向波形と水平方向及び垂直方向の鏡面対称性とを有するゼルニケ多項式の係数を操作することによってシフトさせることができる。しかし、Ｚ５が、Ｈ−Ｖ焦点差を基本的に構造のピッチとは独立して操作することを可能にすることが見出されている。図７は、二重極照明の場合に所定の振幅を有するＺ５波面偏位によってもたらされる焦点シフトのシミュレーションを示している。このシミュレーションは、垂直構造と水平構造の両方において、焦点シフトの構造のピッチに関連付けられた有意な変化がないことを示している。状況は、Ｚ１７においても同様である。従って、Ｚ５に対して代替的又は追加的に、Ｚ１７を調節することができる。
【０１３４】
視野にわたってＺ５の係数を操作するために、調節デバイス４６には、例えば、アルバレスマニピュレータが有利に装備される。アルバレスマニピュレータは、投影対物系２６の瞳の近くに使用するべき適切な強度の非球面又は２次元マニピュレータを有する光学要素を横方向にシフトさせることによって波面収差を補正するように構成された光学要素である。更に、投影対物系２６には、変形可能レンズを装備することができる。視野にわたって一定のＺ５を調節するためには、投影対物系の瞳の近くに２葉変形可能レンズ要素が必要である。
【０１３５】
以下では、最小にされるリソグラフィ結像誤差が、直交する向きを有する物体構造の像を像平面内で異なってシフトさせる誤差である本発明による実施形態を示している。そのような横方向パターンシフトの大きさは、一般的に構造のピッチ及び視野点に依存する。一般的にそのようなシフトは、例えば、Ｚ２、Ｚ３、Ｚ７、Ｚ８、Ｚ１０、Ｚ１１のようなｘ軸及びｙ軸に対して鏡面対称ではない奇数のゼルニケ多項式の係数による影響を受ける。しかし、Ｚ２及びＺ３が、垂直物体構造及び水平物体構造の横方向像シフトを構造のピッチとは独立して操作することを可能にすることが見出されている。図８及び図９は、それぞれにＺ２及びＺ３おける波面偏位によってもたらされるパターンシフトのシミュレーションを示している。このシミュレーションは、垂直構造と水平構造の両方において、生じるパターンシフトの構造のピッチに関連付けられた変化がないことを示している。
【０１３６】
ある構造方向に対して、平均パターンシフトは、全てのピッチ及び視野点にわたる最大パターンシフトと最小パターンシフトの間の算術平均として定めることができる。全てのピッチ及び視野点にわたるパターンシフトの平均パターンシフトからの最大偏位として、オーバーレイ誤差を定めることができる。平均パターンシフトは、基板の横方向変位によって水平構造及び垂直構造とは独立して補償することができる。従って、この平均値からの偏位、すなわち、オーバーレイ誤差のみが、リソグラフィ像に関する。マスク上にある全ての使用サイズの全ての場所における物体構造が、基板上のこれらの構造の目標位置に結像されることを保証するためには、オーバーレイ誤差は、可能な限り小さくなければならない。
【０１３７】
平均パターンシフトの補正の後に、ピッチ及び視野点への依存性が残る。この視野依存性は、１つの視野点における水平構造及び垂直構造に関する平均パターンシフト、＜ｄｙ＞pitch及び＜ｄｘ＞pitchそれぞれを構造の所定の向き及び所定の視野点における全ての使用ピッチにわたる最大パターンシフトと最小パターンシフトの間の算術平均として定めることによって部分的に補償することができ、視野点の座標ｘ，ｙへのこれらのパラメータの依存性は、線形スケール誤差「ＭＡＧ」及び３次の歪曲「Ｄ３」によって部分的に記述することができる。
【０１３８】
上述したように、パターンシフトは、波面内のＺ２部分及びＺ３部分によってピッチとは独立して補償することができる。次式が適用される。
0006012628.tif 000074
【０１３９】
視野点依存形式にすると、（３３）は次式になる。
0006012628.tif 000075
ここで、ＮＡは、投影対物系２６の開口数である。
【０１４０】
Ｚ２部分及びＺ３部分の対応する視野特性を用いて、倍率誤差（ｍａｇ）及び３次の歪曲（ｄ3）を調節又は補償することができる。
0006012628.tif 000076
【０１４１】
Ｚ２／Ｚ３の係数は、上述したようにＮＡを通じてｄｘ／ｄｙに関連付けられる。Ｚ２／Ｚ３のそれぞれの視野特性は、半径方向に対称な効果を有するマニピュレータ（例えば、電磁放射線１３の波長を操作する）の線形組合せを用いて、又は基板２４、マスク２０、又は光学要素の光軸１４の方向のシフトを用いて良好に補正することができる。
【０１４２】
説明したツールを使用すると、視野にわたる波面偏位の定数部分と、倍率誤差及び３次の歪曲を排除することができる。ゼルニケベースの補正は、通常この目的には十分ではない。なぜならば、ゼルニケベースの補正では、ゼルニケ部分が互いに独立して低減され、従って、高次の奇数ゼルニケ誤差に起因するピッチ依存性の補正をＺ２及びＺ３を用いて達成することはできないからである。従って、例えば、ＭＡＧ及びＤ３の測定の後の付加的な補正段階又はモデル予想に基づく付加的な補正段階として、ＭＡＧ及びＤ３補正が実施されると有利である。
【０１４３】
投影露光ツール１０が、スキャナとも呼ぶステップアンドスキャン露光ツールとして構成される場合には、走査によって平均化されるパターンシフトを補正すべきである。走査がｙ方向に実施される場合には、倍率項（下式ではＭＡＧ）と３次の歪曲項（下式ではＤ3）とで構成される以下の項がもたらされる。
0006012628.tif 000077
【０１４４】
水平線は、スキャナスロット内の放射線分布にわたる平均を表している。歪曲の半径方向に対称な部分の隣には、像平面２８の近くにあるマニピュレータ（例えば、変形可能レンズ又はアルバレスマニピュレータ）によって部分的に補正することができ、方位角方向の２つのうねりを有するアナモフィック項も現れる。
【０１４５】
マスク２０上にはある構造サイズ及び構造の向きしか存在しないので、マスクを像平面２８に結像するときには、通常、投影対物系２６の瞳の全ての区画が使用されるわけではない。ここでの「使用瞳区画」という用語は、所定のマスク２０の露光中に照射される投影対物系２６の開口とも呼ぶ瞳平面内の全ての点に関する放射光線を指す。従って、「使用瞳区画」は、以下では「関与領域(region of interest)」とも呼ぶ投影対物系２６内で結像工程中に放射線１３による通過を受ける部分を示している。本発明による補正方式では、瞳の実際に使用される部分に関する波面変形のみを最小にし、平滑化することが目標である。以下では、この方式を「関与領域」補正とも呼ぶ。
【０１４６】
関与領域補正を行うために、最初に「関与領域」、すなわち、瞳内の放射線分布が決定される。「関与領域」は、例えば、マスクの全ての詳細内容、特にマスクレイアウトが把握されている場合に、マスクの回折スペクトルの計算によって決定することができる。使用されるマスクが十分に正確に把握されていない場合には、「関与領域」は、測定によって決定される。この目的のために、例えば、関連マスクが露光ツール１０内に挿入された状態で、一度に１つの視野点に対して、像平面２８内に到着する放射線の角度分布を決定することができる。「関与領域」は、少なくとも１つの視野点において散乱光によってもたらされるあるレベルよりも高い放射線を測定することができる瞳内のそういった点（又は、像平面２８内の照射角度）によって定められる。
【０１４７】
本発明は、本明細書の一部を形成し、かつ特許請求の範囲ではない以下に続く項の態様を含む。
【０１４８】
第１項：電磁放射線を用いてマスク上の物体構造を像平面内に結像するために、結像中に、電磁放射線が、投影対物系の光学特性の変化を引き起こす投影対物系を有するマイクロリソグラフィのための投影露光ツールを作動させる方法であって、結像される上記マスク上の上記物体構造のレイアウトを与え、物体構造をそれらの構造タイプに従って分類する段階と、上記物体構造の上記分類に基づいて、上記結像工程中にもたらされる上記投影対物系の上記光学特性の上記変化を計算する段階と、上記物体構造を上記像平面内に結像するために上記投影露光ツールを使用し、上記結像工程中に上記電磁放射線によって引き起こされる上記投影対物系の上記光学特性の上記変化を少なくとも部分的に補償するために、投影露光ツールの結像挙動が、光学特性の上記計算された変化に基づいて調節される段階とを含む。
【０１４９】
第２項：上記マスクは、上記結像工程中に、マスクを照明する上記電磁放射線の角度分布を定める特定の照明モードにある放射線を用いて照明され、上記光学特性の上記変化の上記計算は、更に照明モードに基づいて行われる第１項に記載の方法。
【０１５０】
第３項：上記投影対物系の少なくとも１つの単一光学要素の熱固有モードが、投影対物系と共に与えられ、上記光学特性の上記変化の上記計算は、熱固有モードに基づいて行われる第１項又は第２項に記載の方法。
【０１５１】
第４項：上記投影対物系の上記光学特性の上記変化の上記計算は、上記分類された構造タイプの各々に関する投影対物系に入射する上記電磁放射線の角度分布の計算を含む第１項から第３項のいずれか１項に記載の方法。
【０１５２】
第５項：上記マスクは、上記結像工程中に、いくつかの照明モードのうちの１つにある上記電磁放射線を用いて照明され、上記投影対物系に入射する該電磁放射線の上記角度分布は、上記分類された構造タイプの各々に対して、結像工程中に使用される照明モードを考慮して計算される第１項から第４項のいずれか１項に記載の方法。
【０１５３】
第６項：上記物体構造の上記分類は、上記マスク上で異なる上記構造タイプによって覆われるそれぞれの区域のサイズの決定を含む第１項から第５項のいずれか１項に記載の方法。
【０１５４】
第７項：上記投影対物系の上記光学特性の上記変化の上記計算は、投影対物系に入射する上記電磁放射線の全体角度分布の近似の決定を含み、全体角度分布は、上記分類された個々の構造タイプに対して、上記角度分布の重み付き和から計算され、角度分布は、それぞれの構造タイプによって覆われる上記マスク区域の上記決定されたサイズによってそれぞれ重み付けされる第６項に記載の方法。
【０１５５】
第８項：上記物体構造の上記分類は、少なくとも２つのタイプの領域への上記マスクの分割を含み、第１のタイプの領域は、第２のタイプの領域に対して密に配列された物体構造を含み、第２のタイプの領域は、第１のタイプの領域に対して疎に配列された物体構造を含む第１項から第７項のいずれか１項に記載の方法。
【０１５６】
第９項：上記投影対物系の上記光学特性の上記変化の上記計算において、上記第２のタイプの領域は、物体構造を含まない領域によって近似される第８項に記載の方法。
【０１５７】
第１０項：上記結像工程中の上記投影対物系の光学特性における上記計算される変化は、それぞれのレンズを照射する上記電磁放射線によって引き起こされる投影対物系の少なくとも１つの単一光学要素の加熱に起因する第１項から第９項のいずれか１項に記載の方法。
【０１５８】
第１１項：上記光学特性の上記変化に起因する上記像平面内の波面の偏位が計算され、計算された波面偏位を補償するために、上記投影露光ツールの上記結像挙動が調節される第１項から第１０項のいずれか１項に記載の方法。
【０１５９】
第１２項：上記投影露光ツールの上記結像挙動は、少なくとも１つの光学要素の位置又は形状をアクチュエータを用いて操作することによって調節される第１項から第１１項のいずれか１項に記載の方法。
【０１６０】
第１３項：上記結像挙動の上記調節は、リソグラフィ像の波面偏位のゼルニケ多項式の係数を最適化することによって実施され、ゼルニケ多項式の係数のうちの少なくとも１つは、最適化問題の目的関数において、他の係数と比較して異なって重み付けされる第１２項に記載の方法。
【０１６１】
第１４項：上記結像挙動の上記調節は、上記リソグラフィ像の上記波面偏位の上記ゼルニケ多項式の上記係数を最適化することによって実施され、上記像平面内の少なくとも１つの場所は、上記最適化問題の上記目的関数において、像平面内の他の場所における係数と比較して異なって重み付けされる第１２項又は第１３項に記載の方法。
【０１６２】
第１５項：上記結像挙動の上記調節は、上記投影対物系を選択された瞳区画内で通過する放射線成分だけに対して上記像平面内の上記波面変形を低減することによって実施される第１２項から第１４項のいずれか１項に記載の方法。
【０１６３】
第１６項：上記投影露光ツールの上記結像挙動を調節するのに第１のアクチュエータと第２のアクチュエータが使用され、アクチュエータの各々は、第１の結像誤差を修正することを可能にし、第１のアクチュエータは、更に、第２の結像誤差を修正することも可能にし、第１のアクチュエータの所定の操作に対して、第２の結像誤差の反応は、第１の結像誤差の反応よりも小さく、アクチュエータは、第１のアクチュエータの所定の操作に対する第２の結像誤差の反応が所定の閾値よりも大きい場合にのみ第２の結像誤差を最小にするように操作される第１２項から第１５項のいずれか１項に記載の方法。
【０１６４】
第１７項：与えられたレイアウトにおける上記リソグラフィ像に対して影響を有する少なくとも１つのリソグラフィ結像誤差が決定され、投影対物系の上記結像挙動が、上記電磁放射線によって引き起こされる上記投影対物系の上記光学特性の上記変化を補正するために、少なくとも１つのリソグラフィ結像誤差が低減されるように調節され、リソグラフィ結像誤差の低減が、リソグラフィ像の全体波面偏位の平滑化よりも高い優先度を有する第１項から第１６項のいずれか１項に記載の方法。
【０１６５】
第１８項：上記投影露光ツールの上記結像挙動は、上記物体構造の上記結像を行う前に調節され、及び／又は上記結像工程中に動的に調節される第１項から第１７項のいずれか１項に記載の方法。
【０１６６】
第１９項：上記結像中に、上記電磁放射線は、上記投影対物系の少なくとも１つの単一光学要素の光学特性の変化を引き起こし、結像工程中に電磁放射線によって光学要素内に誘起される熱分布が決定され、決定された誘起熱分布から、熱分布の解析関数であって光学要素の熱固有モードを含む温度分布関数を用いて、光学要素内に生じる温度分布が計算され、物体構造が上記像平面内に結像され、上記投影露光ツールの上記結像挙動が、計算された温度分布から導出される光学要素の光学特性の変化に基づいて調節される第１項から第１８項のいずれか１項に記載の方法。
【０１６７】
第２０項：電磁放射線を用いてマスク上の物体構造を像平面内に結像するために、結像中に、電磁放射線が、投影対物系の少なくとも１つの単一光学要素の光学特性の変化を引き起こす投影対物系を有するマイクロリソグラフィのための投影露光ツールを作動させる方法であって、上記結像工程中に上記電磁放射線によって上記光学要素内に誘起される熱分布を決定する段階と、上記決定された誘起熱分布から、熱分布の解析関数であって上記光学要素の熱固有モードを含む温度分布関数を用いて、光学要素内に生じる温度分布を計算する段階と、上記物体構造を上記像平面内に結像し、結像工程中に上記電磁放射線によって引き起こされる上記光学要素の上記光学特性の上記変化を少なくとも部分的に補償するために、上記計算された温度分布から導出される光学要素の光学特性の変化に基づいて、上記投影露光ツールの結像挙動が調節される段階とを含む。
【０１６８】
第２１項：上記光学要素の上記温度分布関数は、時間の関数として与えられる第２０項に記載の方法。
【０１６９】
第２２項：上記温度分布関数は、固有値及び固有モードの解析を用いて上記光学要素の熱輸送方程式を解くことによって与えられる第２０項又は第２１項に記載の方法。
【０１７０】
第２３項：上記光学要素の上記熱輸送方程式では、上記光学要素の光軸の方向に温度が一定であると見なされる第２２項に記載の方法。
【０１７１】
第２４項：上記マスク上の上記物体構造のレイアウト、及び特に上記結像工程中にマスクを照明する上記放射線の角度分布を定める照明モードが与えられ、物体構造のレイアウト、及び特に該照明モードから上記光学要素内に誘起される熱分布が決定される第２０項から第２３項のいずれか１項に記載の方法。
【０１７２】
第２５項：上記物体構造の上記レイアウトは、物体構造を物体構造の構造タイプと上記マスク上の物体構造の場所とに従って分類するのに使用され、上記光学要素内にもたらされる上記熱分布は、物体構造の分類に基づいて計算される第２４項に記載の方法。
【０１７３】
第２６項：結像される上記マスク上の上記物体構造の上記レイアウト、及び特に上記照明モードが与えられ、物体構造が、物体構造の構造タイプに従って分類され、物体構造の分類に基づいて、上記結像工程中の上記投影対物系の上記光学特性の上記変化が計算され、結像工程中に上記電磁放射線によって引き起こされる投影対物系の光学特性の変化を少なくとも部分的に補償するために、光学特性の計算された変化に基づいて、上記投影露光ツールの上記結像挙動が調節される第２０項から第２５項のいずれか１項に記載の方法。
【０１７４】
第２７項：上記投影対物系のいくつかの光学要素に対してそれぞれの温度分布が計算され、計算された温度分布から導出されるそれぞれの光学要素の上記光学特性の変化に基づいて、上記投影露光ツールの上記結像挙動が調節される第２０項から第２６項のいずれか１項に記載の方法。
【０１７５】
第２８項：結像される上記マスク上の上記物体構造のレイアウトが与えられ、与えられたレイアウトに関するリソグラフィ像に対して影響を有する少なくとも１つのリソグラフィ結像誤差が決定され、投影対物系の上記結像挙動が、上記電磁放射線によって引き起こされる上記投影対物系の上記光学特性の上記変化を補正するために、少なくとも１つのリソグラフィ結像誤差が低減されるように調節され、投影対物系の結像挙動の調節は、リソグラフィ結像誤差の低減がリソグラフィ像の全体波面偏位の平滑化よりも高い優先度で達成されるように実施される第２０項から第２７項のいずれか１項に記載の方法。
【０１７６】
第２９項：電磁放射線を用いてマスク上の物体構造を像平面内に結像するために、結像中に、電磁放射線が、投影対物系の光学特性の変化を引き起こす投影対物系を有するマイクロリソグラフィのための投影露光ツールを作動させる方法であって、結像される上記マスク上の上記物体構造のレイアウトを与え、与えられたレイアウトに関するリソグラフィ像に対して影響を有する少なくとも１つのリソグラフィ結像誤差を決定する段階と、上記物体構造を上記像平面内に結像し、投影対物系の結像挙動が、上記電磁放射線によって引き起こされる上記投影対物系の上記光学特性の上記変化を補正するために、上記少なくとも１つのリソグラフィ結像誤差が低減されるように調節され、投影対物系の結像挙動の調節が、リソグラフィ結像誤差の低減が上記リソグラフィ像の全体波面偏位の平滑化よりも高い優先度で達成されるように実施される段階とを含む。
【０１７７】
第３０項：上記少なくとも１つの結像誤差は、上記与えられたレイアウトにおける上記リソグラフィ像に対して影響を有する少なくとも１つの他の結像誤差が、上記調節の結果として拡大されることに関わらず、選択的に低減される第２９項に記載の方法。
【０１７８】
第３１項：低減されるリソグラフィ結像誤差は、上記与えられたレイアウトにおける上記リソグラフィ像に対して、上記調節の結果として拡大される上記リソグラフィ結像誤差よりも大きい影響を有する第３０項に記載の方法。
【０１７９】
第３２項：上記物体構造の上記与えられたレイアウトに関して、与えられたレイアウトにおける上記リソグラフィ像に対して最も大きい影響を有するという点で最も関連のあるリソグラフィ結像誤差を含むリソグラフィ結像誤差サブグループが決定され、上記電磁放射線によって引き起こされる上記投影対物系の上記光学特性の上記変化を補正するために、リソグラフィ結像誤差サブグループの少なくとも１つの結像誤差が、サブグループ内に含まれない結像誤差が結果として拡大されることに関わらず選択的に低減されるように、投影対物系の上記結像挙動が調節される第２９項から第３１項のいずれか１項に記載の方法。
【０１８０】
第３３項：上記投影対物系の上記結像挙動は、得られる上記結像誤差の上記低減の範囲が、物体構造の像が影響を受けるという点で結像誤差が関連性を有する物体構造のピッチとは基本的に独立であるように調節される第２９項から第３２項のいずれか１項に記載の方法。
【０１８１】
第３４項：低減される結像誤差は、直交する向きを有する物体構造を異なる平均焦点面にフォーカスさせる第２９項から第３３項のいずれか１項に記載の方法。
【０１８２】
第３５項：上記投影対物系の上記結像挙動は、得られる直交する向きを有する物体構造の平均焦点面の間の距離が最小にされるように、上記リソグラフィ像の上記波面偏位におけるゼルニケ多項式Ｚ５及び／又はＺ６の係数を調節することによって調節される第３４項に記載の方法。
【０１８３】
第３６項：低減される結像誤差は、上記投影対物系の線形倍率誤差及び／又は３次の歪曲誤差を含む第２９項から第３５項のいずれか１項に記載の方法。
【０１８４】
第３７項：最小化される結像誤差は、直交する向きを有する物体構造の像を上記像平面内で異なってシフトさせる第２９項から第３６項のいずれか１項に記載の方法。
【０１８５】
第３８項：上記投影対物系の上記結像挙動は、構造のピッチ平均倍率、３次の歪曲、及び／又は一定の横方向シフトが最小にされるように、上記リソグラフィ像の上記波面偏位における上記ゼルニケ多項式Ｚ２及び／又はＺ３の係数を調節することによって調節される第３７項に記載の方法。
【０１８６】
第３９項：上記物体構造が、物体構造の構造タイプに従って分類され、物体構造の分類に基づいて、上記結像工程中の上記投影対物系の上記光学特性の上記変化が近似的に計算され、結像工程中に上記電磁放射線によって引き起こされる投影対物系の光学特性の変化を少なくとも部分的に補償するために、光学特性の計算された変化に基づいて、上記投影露光ツールの上記結像挙動が調節される第２９項から第３８項のいずれか１項に記載の方法。
【０１８７】
第４０項：上記結像中に、上記電磁放射線は、上記投影対物系の少なくとも１つの単一光学要素の光学特性の変化を引き起こし、光学要素によって吸収される流入熱分布の解析関数であって光学要素の熱固有モードを含む単一光学要素の温度分布関数が与えられ、上記結像工程中に電磁放射線によって光学要素内に誘起される熱分布が決定され、光学要素内に生じる温度分布が、決定された誘起熱分布から温度分布関数を用いて計算され、上記物体構造が上記像平面内に結像され、計算された温度分布から導出された光学要素の光学特性の変化に基づいて、上記投影露光ツールの上記結像挙動が調節される第２９項から第３９項のいずれか１項に記載の方法。
【０１８８】
第４１項：電磁放射線を用いてマスク上の物体構造を像平面内に結像するために、結像中に、電磁放射線が、投影対物系の光学特性の変化を引き起こす投影対物系を有するマイクロリソグラフィのための投影露光ツールを作動させるための制御装置であって、制御装置は、結像される上記マスク上の上記物体構造のレイアウトを受け取るための入力デバイスと、上記物体構造をそれらの構造タイプに従って分類し、上記結像工程中にもたらされる上記投影対物系の上記光学特性の上記変化を該物体構造の分類に基づいて近似的に計算するように構成された処理デバイスと、上記結像工程中に上記電磁放射線によって引き起こされる上記投影対物系の上記光学特性の上記変化を少なくとも部分的に補償するために、上記投影露光ツールの結像挙動を光学特性の上記計算された変化に基づいて調節するように構成された調節デバイスとを含む。
【０１８９】
第４２項：電磁放射線を用いてマスク上の物体構造を像平面内に結像するために、結像中に、電磁放射線が、投影対物系の少なくとも１つの単一光学要素の光学特性の変化を引き起こす投影対物系を有するマイクロリソグラフィのための投影露光ツールを作動させるための制御装置であって、制御装置は、上記結像工程中に上記電磁放射線によって上記単一光学要素内に誘起される熱分布から光学要素内に生じる温度分布を計算し、生じる温度分布が、熱分布の解析関数であって光学要素の熱固有モードを含む単一光学要素の温度分布関数を用いて計算されるように構成された処理デバイスと、上記結像工程中に上記電磁放射線によって引き起こされる上記光学要素の上記光学特性の上記変化を少なくとも部分的に補償するために、上記計算された温度分布から導出される光学要素の光学特性の変化に基づいて、上記投影露光ツールの上記結像挙動を調節するように構成された調節デバイスとを含む。
【０１９０】
第４３項：電磁放射線を用いてマスク上の物体構造を像平面内に結像するために、結像中に、電磁放射線が、投影対物系の光学特性の変化を引き起こす投影対物系を有するマイクロリソグラフィのための投影露光ツールを作動させるための制御装置であって、制御装置は、結像される上記マスク上の上記物体構造のレイアウトを受け取るための入力デバイスと、上記与えられたレイアウトにおけるリソグラフィ像に対して影響を有する少なくとも１つのリソグラフィ結像誤差を決定し、かつ上記電磁放射線によって引き起こされる上記投影対物系の上記光学特性の上記変化を少なくとも１つのリソグラフィ結像誤差が低減されるように補正するための調節設定値を計算するように構成され、リソグラフィ結像誤差の低減が、リソグラフィ像の全体波面偏位の平滑化よりも高い優先度で達成される処理デバイスと、上記計算された調節設定値に従って上記投影対物系の上記結像挙動を調節するように構成された調節デバイスとを含む。
【０１９１】
第４４項：第１項から第４０項のいずれか１項に記載の方法を行うように構成された第４１項から第４３項のいずれか１項に記載の制御装置。
【０１９２】
第４５項：第４１項から第４４項のいずれか１項に記載の制御装置を含むマイクロリソグラフィのための投影露光ツール。
【０１９３】
本発明を本発明を限定しない例示的な実施形態を用いて説明した。当業者は、特許請求の範囲に具陳する本発明及びその均等物の範囲から逸脱することなく変形及び修正を想起されるであろう。
【符号の説明】
【０１９４】
１０  投影露光ツール
１２  放射線源
１３  電磁放射線
１３ａ  電磁放射線
１３ｂ  電磁放射線
１４  光軸
１６  照明系
１８  光学要素
２０  マスク
２２  物体平面
２４  基板
２６  投影対物系
２８  像平面
３０  光学要素
３１  フルチップ
３２  セル区域
３４  周辺部
４０  制御装置
４２  入力デバイス
４４  処理デバイス
４６  調節デバイス
５０  レンズ要素
５２  光軸
５４  レンズ面
【図１】
0006012628.tif 000078
【図２】
0006012628.tif 000079
【図６】
0006012628.tif 000080
【図７】
0006012628.tif 000081
【図８】
0006012628.tif 000082
【図９】
0006012628.tif 000083
【図１０】
0006012628.tif 000084
【図１１】
0006012628.tif 000085
【図３】
0006012628.tif 000086
【図４】
0006012628.tif 000087
【図５】
0006012628.tif 000088